(57)【特許請求の範囲】
【請求項１】
無線通信環境において、過負荷インジケータに応答することを容易にする方法であって、
ユーザ機器において、非サービス提供基地局から、オーバ・ザ・エア過負荷インジケータを受信することと、
前記オーバ・ザ・エア過負荷インジケータに基づいてレポートを生成することと、
前記オーバ・ザ・エア過負荷インジケータに基づいて、前記ユーザ機器の送信電力スペクトル密度（ＰＳＤ）を調節することと、
前記ユーザ機器からサービス提供基地局へ前記レポートを送信することとを備え、
前記レポートは、前記ユーザ機器に関する電力関連情報を含む、方法。
【請求項２】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項１に記載の方法。
【請求項３】
前記ユーザ機器において、前記サービス提供基地局から電力制御コマンドを受信することと、ここで、前記電力制御コマンドは、前記サービス提供基地局によって受信された前記非サービス提供基地局からのバックホール過負荷インジケータと、前記ユーザ機器によって送信されたレポートとに応じ、
前記ユーザ機器の送信ＰＳＤを、前記電力制御コマンドに基づいて調節することと、
をさらに備える、請求項１に記載の方法。
【請求項４】
前記ユーザ機器は、前記サービス提供基地局によって、前記非サービス提供基地局から送信されたオーバ・ザ・エア過負荷インジケータを無視するように設定される、請求項１に記載の方法。
【請求項５】
前記ユーザ機器において、前記サービス提供基地局から電力制御コマンドを受信することと、ここで、前記電力制御コマンドは、前記サービス提供基地局によって受信された、前記非サービス提供基地局からのバックホール過負荷インジケータに応じ、
前記ユーザ機器の送信電力スペクトル密度（ＰＳＤ）を、前記非サービス提供基地局から送信されたオーバ・ザ・エア過負荷インジケータに基づいて、変更のない前記電力制御コマンドに基づいて調節することと、
をさらに備える、請求項４に記載の方法。
【請求項６】
無線通信装置であって、
ユーザ機器において、非サービス提供基地局から、オーバ・ザ・エア過負荷インジケータを受信することと、
前記オーバ・ザ・エア過負荷インジケータに基づいてレポートを生成することと、
前記オーバ・ザ・エア過負荷インジケータに基づいて、前記ユーザ機器の送信電力スペクトル密度（ＰＳＤ）を調節することと、
前記ユーザ機器からサービス提供基地局へ前記レポートを送信することと、
に関連する命令群を保持するメモリと、
前記メモリに接続され、前記メモリに保持された命令群を実行するように構成されたプロセッサと、
を備え、
前記レポートは、前記ユーザ機器に関する電力関連情報を含む、無線通信装置。
【請求項７】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項６に記載の無線通信装置。
【請求項８】
前記メモリはさらに、
前記ユーザ機器において、前記サービス提供基地局から電力制御コマンドを受信することと、ここで、前記電力制御コマンドは、前記サービス提供基地局によって受信された前記非サービス提供基地局からのバックホール過負荷インジケータと、前記ユーザ機器によって送信されたレポートとに応じ、
前記ユーザ機器の送信ＰＳＤを、前記電力制御コマンドに基づいて調節することと、
に関連する命令群を保持する、請求項６に記載の無線通信装置。
【請求項９】
前記ユーザ機器は、前記サービス提供基地局によって、前記非サービス提供基地局から送信されたオーバ・ザ・エア過負荷インジケータを無視するように設定される、請求項６に記載の無線通信装置。
【請求項１０】
前記メモリはさらに、
前記ユーザ機器において、前記サービス提供基地局から電力制御コマンドを受信することと、ここで、前記電力制御コマンドは、前記サービス提供基地局によって受信された、前記非サービス提供基地局からのバックホール過負荷インジケータに応じ、
前記ユーザ機器の送信電力スペクトル密度（ＰＳＤ）を、前記非サービス提供基地局から送信されたオーバ・ザ・エア過負荷インジケータに基づいて、変更のない前記電力制御コマンドに基づいて調節することと、
に関連する命令群を保持する、請求項９に記載の無線通信装置。
【請求項１１】
無線通信環境において、過負荷インジケータを利用することをイネーブルする無線通信装置であって、
ユーザ機器において、非サービス提供基地局から、オーバ・ザ・エア過負荷インジケータを受信する手段と、
前記オーバ・ザ・エア過負荷インジケータに基づいてレポートを生成する手段と、
前記オーバ・ザ・エア過負荷インジケータに基づいて、前記ユーザ機器の送信電力スペクトル密度（ＰＳＤ）を調節する手段と、
前記ユーザ機器からサービス提供基地局へ前記レポートを送信する手段とを備え、
前記レポートは、前記ユーザ機器に関する電力関連情報を含む、無線通信装置。
【請求項１２】
前記サービス提供基地局から受信した電力制御コマンドに基づいて、前記ユーザ機器の送信電力スペクトル密度（ＰＳＤ）を調節する手段をさらに備え、
前記電力制御コマンドは、前記サービス提供基地局によって受信された、前記非サービス提供基地局からのバックホール過負荷インジケータおよび前記レポートに応じる、請求項１１に記載の無線通信装置。
【請求項１３】
前記レポートは、前記オーバ・ザ・エア過負荷インジケータ、前記オーバ・ザ・エア過負荷インジケータに基づいて調節された後のユーザ機器の送信電力スペクトル密度（ＰＳＤ）、または、前記ユーザ機器の電力ヘッドルームのうちの少なくとも１つに関連した情報を含む、請求項１１に記載の無線通信装置。
【請求項１４】
前記ユーザ機器は、前記サービス提供基地局によって、前記非サービス提供基地局から送信されたオーバ・ザ・エア過負荷インジケータを無視するように設定される、請求項１１に記載の無線通信装置。
【請求項１５】
ユーザ機器において、非サービス提供基地局から、オーバ・ザ・エア過負荷インジケータを受信するためのコードと、
前記オーバ・ザ・エア過負荷インジケータに基づいてレポートを生成するためのコードと、
前記オーバ・ザ・エア過負荷インジケータに基づいて、前記ユーザ機器の送信電力スペクトル密度（ＰＳＤ）を調節するためのコードと、
前記ユーザ機器からサービス提供基地局へ前記レポートを送信するためのコードと、
を記録し、
前記レポートは、前記ユーザ機器に関する電力関連情報を含む、コンピュータ読取可能な記録媒体。
【請求項１６】
前記サービス提供基地局から受信した電力制御コマンドに基づいて、前記ユーザ機器の送信電力スペクトル密度（ＰＳＤ）を調節するためのコードをさらに記録し、
前記電力制御コマンドは、前記サービス提供基地局によって受信された、前記非サービス提供基地局からのバックホール過負荷インジケータおよび前記レポートに応じる、請求項１５に記載のコンピュータ読取可能な記録媒体。
【請求項１７】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項１５に記載のコンピュータ読取可能な記録媒体。
【請求項１８】
前記ユーザ機器は、前記サービス提供基地局によって、前記非サービス提供基地局から送信されたオーバ・ザ・エア過負荷インジケータを無視するように設定される、請求項１５に記載のコンピュータ読取可能な記録媒体。
【請求項１９】
無線通信装置であって、
ユーザ機器において、非サービス提供基地局から、オーバ・ザ・エア過負荷インジケータを受信し、
前記オーバ・ザ・エア過負荷インジケータに基づいてレポートを生成し、
前記オーバ・ザ・エア過負荷インジケータに基づいて、前記ユーザ機器の送信電力スペクトル密度（ＰＳＤ）を調節し、
前記ユーザ機器からサービス提供基地局へ前記レポートを送信する、
ように構成されたプロセッサを備え、
前記レポートは、前記ユーザ機器に関する電力関連情報を含む、無線通信装置。
【請求項２０】
無線通信環境において、過負荷インジケータに応答することを容易にする方法であって、
ユーザ機器によって非サービス提供基地局から受信されたオーバ・ザ・エア過負荷インジケータに基づいて生成されたレポートを、前記ユーザ機器から受信することと、
前記ユーザ機器から受信された前記レポートに少なくとも部分的に基づいて、前記ユーザ機器のための電力制御コマンドを生成することと、
前記非サービス提供基地局に対して、サービス提供されているユーザ機器のタイプおよび状態に応じて、バックホールを介してバックホール過負荷インジケータを送信するか、送信を禁止するかの何れかを選択的に実行させる命令を、前記非サービス提供基地局へシグナリングすることと、
を備える方法。
【請求項２１】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項２０に記載の方法。
【請求項２２】
前記非サービス提供基地局からバックホールを介して受信されたバックホール過負荷インジケータにさらに基づいて、前記ユーザ機器のための電力制御コマンドを生成することをさらに備える、請求項２０に記載の方法。
【請求項２３】
前記電力制御コマンドを、物理ダウンリンク制御チャネル（ＰＤＣＣＨ）でダウンリンクによって前記ユーザ機器へ送信することをさらに備える、請求項２０に記載の方法。
【請求項２４】
前記ユーザ機器によって前記非サービス提供基地局から受信されたオーバ・ザ・エア過負荷インジケータを無視するように前記ユーザ機器を設定することをさらに備える、請求項２０に記載の方法。
【請求項２５】
サービス提供基地局が、少なくとも１つのレガシー・ユーザ機器にサービス提供するかを判定することと、
前記サービス提供基地局が、前記少なくとも１つのレガシー・ユーザ機器にサービス提供しないものと認識された場合、前記非サービス提供基地局に対して、前記バックホールを介してバックホール過負荷インジケータを送信することを禁止させる命令を、前記非サービス提供基地局へシグナリングすることと、
前記サービス提供基地局が、前記少なくとも１つのレガシー・ユーザ機器にサービス提供するものと認識された場合、前記少なくとも１つのレガシー・ユーザ機器のそれぞれの状態を判定することと、
前記サービス提供基地局によってサービス提供されている少なくとも１つのレガシー・ユーザ機器の何れもが、アクティブ状態にあるものと認識されなかった場合、前記非サービス提供基地局に対して、前記バックホールを介してバックホール過負荷インジケータを送信することを禁止させる命令を、前記非サービス提供基地局へシグナリングすることと、
前記サービス提供基地局によってサービス提供されている少なくとも１つのレガシー・ユーザ機器のうちの１または複数が、前記アクティブ状態にあるものと認識された場合、前記非サービス提供基地局に対して、前記バックホールを介してバックホール過負荷インジケータを送信させる命令を、前記非サービス提供基地局へシグナリングすることと、
をさらに備え、
前記レガシー・ユーザ機器は、リリース８のユーザ機器、またはリリース８以前のリリースのユーザ機器である、請求項２０に記載の方法。
【請求項２６】
無線通信装置であって、
ユーザ機器によって非サービス提供基地局から受信されたオーバ・ザ・エア過負荷インジケータに基づいて生成されたレポートを、前記ユーザ機器から受信することと、
前記ユーザ機器から受信された前記レポートに少なくとも部分的に基づいて、前記ユーザ機器のための電力制御コマンドを生成することと、
前記非サービス提供基地局に対して、サービス提供されているユーザ機器のタイプおよび状態に応じて、バックホールを介してバックホール過負荷インジケータを送信するか、送信を禁止するかの何れかを選択的に実行させる命令を、前記非サービス提供基地局へシグナリングすることと、
に関連する命令群を保持するメモリと、
前記メモリに接続され、前記メモリに保持された命令群を実行するように構成されたプロセッサと、
を備える無線通信装置。
【請求項２７】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項２６に記載の無線通信装置。
【請求項２８】
前記メモリはさらに、前記非サービス提供基地局からバックホールを介して受信されたバックホール過負荷インジケータにさらに基づいて、前記ユーザ機器のための電力制御コマンドを生成することに関連する命令群を保持する、請求項２６に記載の無線通信装置。
【請求項２９】
前記メモリはさらに、前記電力制御コマンドを、物理ダウンリンク制御チャネル（ＰＤＣＣＨ）でダウンリンクによって前記ユーザ機器へ送信することに関連する命令群を保持する、請求項２６に記載の無線通信装置。
【請求項３０】
前記メモリはさらに、前記ユーザ機器によって前記非サービス提供基地局から受信されたオーバ・ザ・エア過負荷インジケータを無視するように前記ユーザ機器を設定することに関連する命令群を保持する、請求項２６に記載の無線通信装置。
【請求項３１】
前記メモリはさらに、
サービス提供基地局が、少なくとも１つのレガシー・ユーザ機器にサービス提供するかを判定することと、
前記サービス提供基地局が、前記少なくとも１つのレガシー・ユーザ機器にサービス提供しないものと認識された場合、前記非サービス提供基地局に対して、前記バックホールを介してバックホール過負荷インジケータを送信することを禁止させる命令を、前記非サービス提供基地局へシグナリングすることと、
前記サービス提供基地局が、前記少なくとも１つのレガシー・ユーザ機器にサービス提供するものと認識された場合、前記少なくとも１つのレガシー・ユーザ機器のそれぞれの状態を判定することと、
前記サービス提供基地局によってサービス提供されている少なくとも１つのレガシー・ユーザ機器の何れもが、アクティブ状態にあるものと認識されなかった場合、前記非サービス提供基地局に対して、前記バックホールを介してバックホール過負荷インジケータを送信することを禁止させる命令を、前記非サービス提供基地局へ情報をシグナリングすることと、
前記サービス提供基地局によってサービス提供されている少なくとも１つのレガシー・ユーザ機器のうちの１または複数が、前記アクティブ状態にあるものと認識された場合、前記非サービス提供基地局に対して、前記バックホールを介してバックホール過負荷インジケータを送信させる命令を、前記非サービス提供基地局へ情報をシグナリングすることと、
に関連する命令群を保持し、
前記レガシー・ユーザ機器は、リリース８のユーザ機器、またはリリース８以前のリリースのユーザ機器である、請求項２６に記載の無線通信装置。
【請求項３２】
無線通信環境において、過負荷インジケータを適用することをイネーブルする無線通信装置であって、
ユーザ機器によって非サービス提供基地局から受信されたオーバ・ザ・エア過負荷インジケータに基づいて生成されたレポートを、前記ユーザ機器から受信する手段と、
前記ユーザ機器から受信された前記レポートに少なくとも部分的に基づいて、前記ユーザ機器のための電力制御コマンドを生成する手段と、
前記非サービス提供基地局に対して、サービス提供されているユーザ機器のタイプおよび状態に応じて、バックホールを介してバックホール過負荷インジケータを送信するか、送信を禁止するかの何れかを選択的に実行させる命令を、前記非サービス提供基地局へシグナリングする手段と、
を備える無線通信装置。
【請求項３３】
前記非サービス提供基地局からバックホールを介して受信されたバックホール過負荷インジケータにさらに基づいて、前記ユーザ機器のための電力制御コマンドを生成する手段をさらに備える、請求項３２に記載の無線通信装置。
【請求項３４】
前記ユーザ機器によって前記非サービス提供基地局から受信されたオーバ・ザ・エア過負荷インジケータを無視するように前記ユーザ機器を設定する手段をさらに備える、請求項３２に記載の無線通信装置。
【請求項３５】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項３２に記載の無線通信装置。
【請求項３６】
ユーザ機器によって非サービス提供基地局から受信されたオーバ・ザ・エア過負荷インジケータに基づいて生成されたレポートを、前記ユーザ機器から受信するためのコードと、
前記ユーザ機器から受信された前記レポートに少なくとも部分的に基づいて、前記ユーザ機器のための電力制御コマンドを生成するためのコードと、
前記非サービス提供基地局へ情報をシグナリングし、前記非サービス提供基地局に対して、サービス提供されているユーザ機器のタイプおよび状態に応じて、バックホールを介してバックホール過負荷インジケータを送信するか、送信を禁止するかの何れかを選択的に実行させるためのコードと、
を記録したコンピュータ読取可能な記録媒体。
【請求項３７】
前記非サービス提供基地局からバックホールを介して受信されたバックホール過負荷インジケータにさらに基づいて、前記ユーザ機器のための電力制御コマンドを生成するためのコードをさらに記録した、請求項３６に記載のコンピュータ読取可能な記録媒体。
【請求項３８】
前記ユーザ機器によって前記非サービス提供基地局から受信されたオーバ・ザ・エア過負荷インジケータを無視するように前記ユーザ機器を設定するためのコードをさらに記録した、請求項３６に記載のコンピュータ読取可能な記録媒体。
【請求項３９】
前記レポートは、前記オーバ・ザ・エア過負荷インジケータ、前記オーバ・ザ・エア過負荷インジケータに基づいて調節された後の前記ユーザ機器の送信電力スペクトル密度（ＰＳＤ）、または前記ユーザ機器の電力ヘッドルーム、のうちの少なくとも１つに関連する情報を含む、請求項３６に記載のコンピュータ読取可能な記録媒体。
【請求項４０】
無線通信装置であって、
ユーザ機器によって非サービス提供基地局から受信されたオーバ・ザ・エア過負荷インジケータに基づいて生成されたレポートを、前記ユーザ機器から受信し、
前記ユーザ機器から受信された前記レポートに少なくとも部分的に基づいて、前記ユーザ機器のための電力制御コマンドを生成し、
ダウンリンクによって前記ユーザ機器へ前記電力制御コマンドを送信し、
前記非サービス提供基地局に対して、サービス提供されているユーザ機器のタイプおよび状態に応じて、バックホールを介してバックホール過負荷インジケータを送信するか、送信を禁止するかの何れかを選択的に実行させる命令を、前記非サービス提供基地局へシグナリングする、
ように構成されたプロセッサを備える、無線通信装置。
【発明の詳細な説明】
【関連出願に対する相互参照】
【０００１】
本出願は、２００９年７月１６日に出願された「過負荷インジケーションに応じたモバイル・デバイスおよびイボルブド・ノードＢの挙動」（MOBILE DEVICE AND EVOLVED NODE-B BEHAVIOR IN RESPONSE TO OVERLOAD INDICATORS）と題された米国仮特許出願６１／２２６，０５０号の利益を主張する。上記出願の全体は、参照によって本明細書に組み込まれる。
【技術分野】
【０００２】
以下の記載は、一般に、無線通信に関し、さらに詳しくは、無線通信システムにおける過負荷インジケータに対する応答に関する。
【背景技術】
【０００３】
無線通信システムは、例えば、音声、データ等のようなさまざまなタイプの通信コンテンツを提供するために広く開発された。一般的な無線通信システムは、利用可能なシステム・リソース（例えば、帯域幅、送信電力）を共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム等を含む。さらに、これらシステムは、例えば、第３世代パートナシップ計画（３ＧＰＰ）、３ＧＰＰロング・ターム・イボリューション（ＬＴＥ）、ウルトラ・モバイル・ブロードバンド（ＵＭＢ）、または、例えばイボリューション・データ・オプティマイズド（ＥＶ−ＤＯ）のようなマルチ・キャリア無線仕様、あるいはこれら技術の１または複数の改訂技術等に準拠しうる。
【０００４】
一般に、無線多元接続通信システムは、複数のユーザ機器（ＵＥ）のための通信を同時にサポートしうる。ＵＥはおのおのの、順方向リンクおよび逆方向リンクにおける送信によって、１または複数の基地局と通信しうる。順方向リンク（すなわち、ダウンリンク）は基地局からＵＥへの通信リンクを称し、逆方向リンク（すなわち、アップリンク）はＵＥから基地局への通信リンクを称する。さらに、ＵＥと基地局との間の通信は、単一入力単一出力（ＳＩＳＯ）システム、複数入力単一出力（ＭＩＳＯ）システム、複数入力複数出力（ＭＩＭＯ）システム等によって確立されうる。さらに、ＵＥは、ピア・ツー・ピア無線ネットワーク構成で、他のＵＥと（および／または基地局が他の基地局と）通信することができる。
【０００５】
ヘテロジニアスな無線通信システムは一般に、さまざまなタイプの基地局を含みうる。それらの各々は、異なるセル幅に関連付けられうる。例えば、マクロ・セル基地局は、一般に、マスト、屋上、その他の既存の構造等の上に搭載されたアンテナ（単数または複数）を導入する。さらに、マクロ・セル基地局はしばしば、数１０ワットのオーダの電力出力を有しており、広いエリアのために有効通信範囲を提供しうる。フェムト・セル基地局は、最近出現した別のクラスの基地局である。フェムト・セル基地局は、一般に、住宅環境または小規模ビジネス環境のために設計されており、ＵＥ、および、バックホールのための既存のブロードバンド・インターネット接続（例えば、デジタル加入者線（ＤＳＬ）、ケーブル等）およびアクセス端末と通信するために、無線技術（例えば、３ＧＰＰユニバーサル・モバイル・テレコミュニケーション・システム（ＵＭＴＳ）またはロング・ターム・イボリューション（ＬＴＥ）、１ｘイボリューション・データ・オプティマイズド（１ｘＥＶ−ＤＯ）等）を用いて、ＵＥへ無線有効通信範囲を提供しうる。フェムト・セル基地局はまた、ホーム・イボルブド・ノードＢ（ＨｅＮＢ）、ホーム・ノードＢ（ＨＮＢ）、フェムト・セル、アクセス・ポイント基地局等とも称される。他のタイプの基地局の例は、ピコ・セル基地局、ミクロ・セル基地局等を含む。
【０００６】
無線通信システムにおいてアップリンク・パフォーマンスを維持するために、近隣セル（単数または複数）におけるＵＥ（単数または複数）（例えば、それぞれのサービス提供基地局（単数または複数）によってサービス提供されるＵＥ（単数または複数））によって引き起こされる干渉がモニタされうる。例えば、干渉オーバ・サーマル（ＩｏＴ）が、非サービス提供基地局によって測定されうる。さらに、過負荷インジケータを用いて、非サービス提供基地局によって、厳しいＩｏＴ制御が達成されうる。例によれば、非サービス提供基地局は、（例えば、サービス提供基地局によってサービス提供される）近隣セル内のＵＥによって送信されたアップリンク送信によって引き起こされた干渉レベルを測定しうる。この例にしたがうと、干渉レベルがしきい値を超えた場合、非サービス提供基地局は、非サービス提供基地局がアップリンクで過負荷であることを明示する過負荷インジケータを生成しうる。
【０００７】
従来、過負荷インジケータは、Ｘ２インタフェースを経由して、バックホールを介して基地局間で送信される。上記の例によれば、サービス提供基地局によってサービス提供されているＵＥによって引き起こされた干渉に基づいて過負荷インジケータを生成する非サービス提供基地局は、バックホールを介してサービス提供基地局へ過負荷インジケータを送信しうる。さらに、サービス提供基地局は、サービス提供されているＵＥの送信電力レベルを制御しうる。その結果、バックホールを介して受信された過負荷インジケータに基づいて生成された電力制御コマンドを用いる。一般的なアプローチでは、バックホールを介してサービス提供基地局によって受信された過負荷インジケータに対する応答は、基地局実装に依存しうる。
【０００８】
しかしながら、ヘテロジニアスな無線通信システムでは、バックホールが無い場合がある。例えば、Ｘ２インタフェースは、フェムト・セル基地局とマクロ・セル基地局との間では利用可能ではないかもしれない。上記に対応するために、過負荷インジケータのオーバ・ザ・エア送信が導入されうる。したがって、過負荷インジケータを生成する非サービス提供基地局は、サービス提供基地局へ、過負荷インジケータをオーバ・ザ・エアで送信しうる。さらに、サービス提供基地局（例えば、フェムト・セル基地局）は、ＵＥに類似した受信機機能を有しうる。さらに、過負荷インジケータがオーバ・ザ・エアで送信された場合、ＵＥは、サービス提供基地局による受信に加えて、過負荷インジケータをも受信しうる。しかしながら、従来のアプローチは一般に、ＵＥによって受信された、サービス提供基地局からの電力制御コマンドに対する応答と、非サービス提供基地局からオーバ・ザ・エアによって受信された過負荷インジケータとの調停に失敗する。
【発明の概要】
【０００９】
１または複数の実施形態および対応する開示によれば、さまざまな態様が、無線通信環境において過負荷インジケータに対して応答することを容易にすることに関して記載される。非サービス提供基地局は、オーバ・ザ・エア（ＯＴＡ）過負荷インジケータ（ＯＩ）およびバックホールＯＩを送信しうる。ＵＥは、非サービス提供基地局からＯＴＡ  ＯＩを受信し、ＯＴＡ  ＯＩに基づいてレポートを生成し、サービス提供基地局へレポートを送信しうる。サービス提供基地局は、ＵＥからレポートを受信し、このレポートに少なくとも部分的に基づいて、ＵＥのための電力制御コマンドを生成しうる。さらに、サービス提供基地局は、さらに、非サービス提供基地局から受信したバックホールＯＩに基づいて、ＵＥのための電力制御コマンドを生成しうる。例えば、ＵＥは、ＯＴＡ  ＯＩを無視するように設定されうる。別の例によれば、サービス提供基地局は、非サービス提供基地局に対して、バックホールＯＩを送信することを阻止させうる。
【００１０】
関連する態様によれば、本明細書では、無線通信環境において過負荷インジケータに応答することを容易にする方法が記載される。この方法は、ユーザ機器（ＵＥ）において、非サービス提供基地局から、オーバ・ザ・エア過負荷インジケータを受信することを含みうる。さらに、この方法は、オーバ・ザ・エア過負荷インジケータに基づいてレポートを生成することを含みうる。さらに、この方法は、ＵＥからサービス提供基地局へレポートを送信することを含みうる。
【００１１】
別の態様は、無線通信装置に関する。この無線通信装置は、ユーザ機器（ＵＥ）において、非サービス提供基地局から、オーバ・ザ・エア過負荷インジケータを受信することと、オーバ・ザ・エア過負荷インジケータに基づいてレポートを生成することと、ＵＥからサービス提供基地局へレポートを送信することとに関連する命令群を保持するメモリを含みうる。さらに、この無線通信装置は、メモリに接続され、メモリに保持された命令群を実行するように構成されたプロセッサを含みうる。
【００１２】
さらに別の態様は、無線通信環境において、過負荷インジケータを利用することをイネーブルする無線通信装置に関する。この無線通信装置は、ユーザ機器（ＵＥ）において、非サービス提供基地局から、オーバ・ザ・エア過負荷インジケータを受信する手段を含みうる。さらに、この無線通信装置は、オーバ・ザ・エア過負荷インジケータに基づいてレポートを生成する手段を含みうる。さらに、この無線通信装置は、ＵＥからサービス提供基地局へレポートを送信する手段を含みうる。
【００１３】
また、別の態様は、コンピュータ読取可能媒体を備えうるコンピュータ・プログラム製品に関する。このコンピュータ読取可能媒体は、ユーザ機器（ＵＥ）において、非サービス提供基地局から、オーバ・ザ・エア過負荷インジケータを受信するためのコードを含みうる。さらに、このコンピュータ読取可能媒体は、オーバ・ザ・エア過負荷インジケータに基づいてレポートを生成するためのコードを含みうる。このコンピュータ読取可能媒体はさらに、ＵＥからサービス提供基地局へレポートを送信するためのコードを含みうる。
【００１４】
別の態様によれば、無線通信装置は、プロセッサを含みうる。ここで、このプロセッサは、ユーザ機器（ＵＥ）において、非サービス提供基地局から、オーバ・ザ・エア過負荷インジケータを受信するように構成されうる。さらに、このプロセッサは、オーバ・ザ・エア過負荷インジケータに基づいてレポートを生成するように構成されうる。さらに、このプロセッサは、ＵＥからサービス提供基地局へレポートを送信するように構成されうる。
【００１５】
他の態様によれば、無線通信環境において過負荷インジケータに応答することを容易にする方法が、本明細書において記述される。この方法は、ＵＥによって非サービス提供基地局から受信されたオーバ・ザ・エア過負荷インジケータに基づいて生成されたレポートを、ユーザ機器（ＵＥ）から受信することを含みうる。さらに、この方法は、ＵＥから受信されたこのレポートに少なくとも部分的に基づいて、ＵＥのための電力制御コマンドを生成することを含みうる。
【００１６】
別の態様は、無線通信装置に関する。この無線通信装置は、ＵＥによって非サービス提供基地局から受信されたオーバ・ザ・エア過負荷インジケータに基づいて生成されたレポートを、ユーザ機器（ＵＥ）から受信することと、ＵＥから受信されたこのレポートに少なくとも部分的に基づいて、ＵＥのための電力制御コマンドを生成することとに関連する命令群を保持するメモリを含みうる。さらに、この無線通信装置は、メモリに接続され、メモリに保持された命令群を実行するように構成されたプロセッサを含みうる。
【００１７】
さらに別の態様は、無線通信環境において、過負荷インジケータを適用することをイネーブルする無線通信装置に関する。この無線通信装置は、ＵＥによって非サービス提供基地局から受信されたオーバ・ザ・エア過負荷インジケータに基づいて生成されたレポートを、ユーザ機器（ＵＥ）から受信する手段を含みうる。さらに、この無線通信装置は、ＵＥから受信されたこのレポートに少なくとも部分的に基づいて、ＵＥのための電力制御コマンドを生成する手段を含みうる。
【００１８】
また、別の態様は、コンピュータ読取可能媒体を備えうるコンピュータ・プログラム製品に関する。このコンピュータ読取可能媒体は、ＵＥによって非サービス提供基地局から受信されたオーバ・ザ・エア過負荷インジケータに基づいて生成されたレポートを、ユーザ機器（ＵＥ）から受信するためのコードを含みうる。さらに、このコンピュータ読取可能媒体は、ＵＥから受信されたこのレポートに少なくとも部分的に基づいて、ＵＥのための電力制御コマンドを生成するためのコードを含みうる。
【００１９】
別の態様によれば、無線通信装置は、プロセッサを含みうる。ここで、このプロセッサは、ＵＥによって非サービス提供基地局から受信されたオーバ・ザ・エア過負荷インジケータに基づいて生成されたレポートを、ユーザ機器（ＵＥ）から受信するように構成されうる。さらに、このプロセッサは、ＵＥから受信されたこのレポートに少なくとも部分的に基づいて、ＵＥのための電力制御コマンドを生成するように構成されうる。さらに、このプロセッサは、ダウンリンクによってＵＥへ電力制御コマンドを送信するように構成されうる。
【００２０】
前述した目的および関連する目的を達成するために、１または複数の実施形態は、後に完全に説明され、特許請求の範囲において特に指摘された特徴を備える。本明細書に記述された以下の説明および添付図面は、１または複数の実施形態のある実例となる態様を詳述する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００２１】
【図１】図１は、本明細書に記載されたさまざまな態様にしたがう無線通信システムの例示である。
【図２】図２は、無線通信環境において、オーバ・ザ・エア過負荷インジケータおよびバックホール過負荷インジケータを適用するシステムの例の例示である。
【図３】図３は、無線通信環境において、バックホール過負荷インジケータの送信を選択的にディセーブルするシステムの例の例示である。
【図４】図４は、無線通信環境において、ＵＥによって利用される過負荷インジケータのタイプを管理するシステムの例の例示である。
【図５】図５は、無線通信環境において、過負荷インジケータに応答することを容易にする方法の例示である。
【図６】図６は、無線通信環境において、過負荷インジケータに応答することを容易にする方法の例示である。
【図７】図７は、無線通信環境において、過負荷インジケータを利用することをイネーブルするシステムの例の例示である。
【図８】図８は、無線通信環境において、過負荷インジケータを適用することをイネーブルするシステムの例の例示である。
【図９】図９は、本明細書に記載された機能のさまざまな態様を実現するために利用されうるシステムの例の例示である。
【図１０】図１０は、本明細書に記載された機能のさまざまな態様を実現するために利用されうるシステムの例の例示である。
【図１１】図１１は、本明細書に記載されたさまざまなシステムおよび方法と共に適用されうる無線通信システムの例の実例である。
【発明を実施するための形態】
【００２２】
権利主張された主題のさまざまな態様が、全体を通じて同一要素を示すために同一の参照番号が使用される図面を参照して説明される。以下の記載では、説明の目的のために、１または複数の態様の完全な理解を提供するために、多くの具体的な詳細が述べられる。しかしながら、このような態様（単数または複数）は、これら具体的な詳細無しで実現されうることが明確である。他の事例では、１または複数の態様の記載を容易にするために、周知の構成およびデバイスがブロック図形式で示される。
【００２３】
本願で使用されるように、用語「構成要素」、「モジュール」、「システム」等は、ハードウェア、ファームウェア、ハードウェアとソフトウェアとの組み合わせ、ソフトウェア、または実行中のソフトウェアのようなコンピュータ関連エンティティを称することが意図される。例えば、構成要素は、限定される訳ではないが、プロセッサ上で実行中のプロセス、プロセッサ、集積回路、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
【００２４】
本明細書に記載されたさまざまな技術は、例えば符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、およびその他のシステムのようなさまざまな無線通信システムのために使用されうる。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いる、例えばリリース８のようなＵＭＴＳのリリースである。ＵＴＲＡ、Ｅ−ＵＴＲＡ、ＵＭＴＳ、ＬＴＥ、およびＧＳＭは、「第３世代パートナシップ計画プロジェクト」（３ＧＰＰ）と命名された組織からのドキュメントに記述されている。それに加えて、ＣＤＭＡ２０００およびＵＭＢは、「第３世代パートナシップ計画２」（３ＧＰＰ２）と命名された機構からのドキュメントに記述されている。さらに、そのような無線通信システムは、アンペア（ｕｎｐａｉｒｅｄ）な無許可のスペクトルをしばしば用いるピア・トゥ・ピア（例えば、モバイル・トゥ・モバイル）アド・ホック・ネットワーク・システム、８０２．ｘｘ無線ＬＡＮ、Ｂｌｕｅｔｏｏｔｈ（登録商標）、および、その他任意の短距離または長距離の無線通信技術を含みうる。
【００２５】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、送信電力効率の観点から、より低いＰＡＰＲがより利点を持つアップリンク通信において使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２６】
さらに、本明細書では、さまざまな態様が、ユーザ機器（ＵＥ）に関連して記載される。ＵＥは、音声および／またはデータ接続を提供するデバイスを称しうる。ＵＥは、例えばラップトップ・コンピュータまたはデスクトップ・コンピュータのようなコンピューティング・デバイスに接続されるか、あるいは、例えば携帯情報端末（ＰＤＡ）のような自己完結型デバイスでありえる。ＵＥはまた、システム、加入者ユニット、加入者局、移動局、モバイル、遠隔局、遠隔端末、モバイル・デバイス、ユーザ端末、端末、無線通信デバイス、ユーザ・エージェント、ユーザ・デバイス、あるいはアクセス端末と称されうる。ＵＥは、セルラ電話、コードレス電話、セッション開始プロトコル（ＳＩＰ）電話、無線ローカル・ループ（ＷＬＬ）局、携帯情報端末（ＰＤＡ）、無線接続機能を有するハンドヘルド・デバイス、コンピューティング・デバイス、あるいは、無線モデムに接続されたその他の処理デバイスでありうる。さらに、本明細書では、さまざまな態様が、基地局に関して記載される。基地局は、ＵＥ（単数または複数）と通信するために利用することができ、アクセス・ポイント、ノードＢ、イボルブド・ノードＢ（ｅＮｏｄｅＢ、ｅＮＢ）、あるいはその他いくつかの用語で称されうる。基地局は、エア・インタフェースによって１または複数のセクタを介してＵＥと通信するアクセス・ネットワーク内のデバイスを称しうる。基地局は、受信したエア・インタフェース・フレームをＩＰパケットに変換することによって、インターネット・プロトコル（ＩＰ）ネットワークを含みうるアクセス・ネットワークの無線端末とその他との間のルータとして動作することができる。基地局はまた、このエア・インタフェースのための属性管理をも調整しうる。
【００２７】
さらに、用語「または」は、排他的な「または」ではなく、包括的な「または」を意味することが意図されている。すなわち、別に示されていない場合、あるいは、文脈から明らかではない場合、「ＸはＡまたはＢを適用する」という句は、自然な包括的な置き換えのうちの何れかを意味することが意図されている。すなわち、「ＸはＡまたはＢを使用する。」という句は、以下の例のうちの何れによっても満足される。ＸはＡを使用する。ＸはＢを使用する、あるいは、ＸはＡとＢとの両方を使用する。さらに、本願および特許請求の範囲で使用されているような冠詞“ａ”および“ａｎ”は、特に指定されていない場合、あるいは、単数を対象としていることが文脈から明らかではない場合、一般に、「１または複数」を意味するものと解釈されるべきである。
【００２８】
さらに、本明細書に記載のさまざまな機能は、ハードウェア、ソフトウェア、ファームウェア、あるいはこれらの組み合わせによって実現されうる。ソフトウェアで実現される場合、これら機能はコンピュータ読取可能媒体に格納されうるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスすることが可能なあらゆる利用可能な媒体でありうる。例として、限定することなく、このようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるようなディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多目的ディスク（ｄｉｓｃ）（ＤＶＤ）、フロッピー（登録商標）ディスク（ｄｉｓｋ）およびｂｌｕ−ｒａｙ（登録商標）ディスク（ｄｉｓｃ）（ＢＤ）を含んでいる。ここで、ｄｉｓｋは通常磁気的にデータを再生し、ｄｉｓｃは、レーザを用いてデータを光学的に再生する。上記の組み合わせもまた、コンピュータ読取可能媒体の範囲内に含まれるべきである。
【００２９】
多くのデバイス、構成要素、モジュール等を含みうるシステムの観点から、さまざまな態様が示されるだろう。これらさまざまなシステムは、追加のデバイス、構成要素、およびモジュール等を含みうるが、図面に関連して説明されたデバイス、構成要素、モジュール等のうちの１または複数は含まれる必要がないことが理解および認識されるべきである。これらのアプローチの組み合わせもまた使用されうる。
【００３０】
図１を参照して、本明細書に示されたさまざまな態様にしたがうシステム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００３１】
基地局１０２は、例えばＵＥ１１６およびＵＥ１２２のような１または複数のユーザ機器（ＵＥ）と通信しうる。しかしながら、基地局１０２は、ＵＥ１１６、１２２に類似した実質的に任意の数のＵＥと通信しうることが認識されるべきである。ＵＥ１１６およびＵＥ１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、システム１００によって通信するためのその他任意の適切なデバイスでありうる。図示するように、ＵＥ１１６は、アンテナ１１２、１１４と通信している。ここで、アンテナ１１２、１１４は、順方向リンク１１８でＵＥ１１６に情報を送信し、逆方向リンク１２０でＵＥ１１６から情報を受信する。さらに、ＵＥ１２２は、アンテナ１０４、１０６と通信している。ここで、アンテナ１０４、１０６は、順方向リンク１２４でＵＥ１２２に情報を送信し、逆方向リンク１２６でＵＥ１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００３２】
通信するように指定された領域および／またはアンテナのおのおののグループは、基地局１０２のセクタと称されうる。例えば、アンテナ・グループは、基地局１０２によってカバーされた領域のセクタ内のＵＥへ通信するように設計されうる。順方向リンク１１８、１２４による通信では、基地局１０２の送信アンテナは、ＵＥ１１６、１２２のための順方向リンク１１８、１２４の信号対雑音比を改善するために、ビームフォーミングを利用しうる。さらに、基地局１０２は、関連付けられた有効通信範囲にわたってランダムに分散したＵＥ１１６、１２２へ送信するためにビームフォーミングを利用している間、近隣セル内のＵＥは、すべてのＵＥに対して単一のアンテナによって送信している基地局と比べて、少ない干渉しか被らない。
【００３３】
オーバ・ザ・エア過負荷インジケータおよびバックホール過負荷インジケータは、システム１００に存在しうる。さらに、基地局１０２、ＵＥ１１６、ＵＥ１２２、別の基地局（単数または複数）（図示せず）、および別のＵＥ（単数または複数）（図示せず）の挙動は、オーバ・ザ・エア過負荷インジケータおよびバックホール過負荷インジケータのシステム１００における使用をサポートしうる。オーバ・ザ・エア過負荷インジケータはまた、レイヤ１（Ｌ１）過負荷インジケータとも称されうる。
【００３４】
例によれば、基地局１０２は、（例えば、別の基地局（単数または複数）によってサービス提供されているＵＥ（単数または複数）によるアップリンク送信（単数または複数）によって引き起こされた）アップリンク干渉およびサーマル・ノイズを測定し、このような測定値に基づいて、過負荷インジケータを生成しうる。過負荷インジケータは、他のセルからのＵＥ（単数または複数）からの干渉に応じうる。そして、サービス提供セル内のＵＥ（単数または複数）（例えば、基地局１０２によってサービス提供されているＵＥ１１６またはＵＥ１２２）によって生成されたトラフィックまたは干渉に関する情報を持たない。基地局１０２は、バックホールを経由して、（図示しない）別の基地局へと過負荷インジケータを送信しうる。バックホールを経由して送信された過負荷インジケータは、バックホール過負荷インジケータ（バックホールＯＩ）と称されうる。それに加えて、または、その代わりに、基地局１０２は、エア・インタフェースを介して（例えば、別の基地局によってサービス提供されたＵＥへ、別の基地局へ、ダウンリンクで）過負荷インジケータを送信しうる。エア・インタフェースを介して送信された過負荷インジケータは、オーバ・ザ・エア過負荷インジケータ（ＯＴＡ  ＯＩ）と称されうる。
【００３５】
例によれば、バックホール過負荷インジケータおよび／またはオーバ・ザ・エア過負荷インジケータは、基地局１０２が過負荷であるかを指定する１ビット（例えば、基地局１０２が過負荷であるか、過負荷ではないかを区別する１ビット）を含みうる。別の例によれば、バックホール過負荷インジケータおよび／またはオーバ・ザ・エア過負荷インジケータは、３つの可能な値、すなわち、高干渉、中干渉、または、低干渉のうちの１つを伝送しうる。しかしながら、権利主張される主題は、前述した例に限定されないことが認識されるべきである。
【００３６】
従来のアプローチは、一般に、Ｘ２インタフェースを介して送信されるバックホール過負荷インジケータを導入しうる。したがって、レガシーＵＥ（単数または複数）（例えば、リリース８のＵＥ（単数または複数））をサポートするために、システム１００内の基地局間でバックホール過負荷インジケータが適用されうる（例えば、基地局１０２と別の基地局との間で交換されうる）。さらに、システム１００は、ヘテロジニアスな無線通信システムでありうるので、システム１００内のさまざまな基地局（単数または複数）（例えば、フェムト・セル基地局（単数または複数））は、バックホールを持たない。したがって、オーバ・ザ・エア過負荷インジケータが適用されうる（例えば、基地局１０２は、別の基地局によってサービス提供されているリリース１０のＵＥ（単数または複数）へ、ダウンリンクで、エア・インタフェースを介して、オーバ・ザ・エア過負荷インジケータを送信しうる）。さらに、リリース１０のＵＥは、レガシー・アプローチと互換性（例えば、リリース８互換性）を持ちうることが考慮される。
【００３７】
図２を参照して、無線通信環境において、オーバ・ザ・エア過負荷インジケータおよびバックホール過負荷インジケータを適用するシステム２００が例示されている。システム２００は、情報、信号、データ、命令群、コマンド、ビット、シンボル等を送信および／または受信しうるサービス提供基地局２０２を含んでいる。サービス提供基地局２０２は、順方向リンクおよび／または逆方向リンクによってＵＥ２０４と通信しうる。ＵＥ２０４は、情報、信号、データ、命令群、コマンド、ビット、シンボル等を送信および／または受信しうる。サービス提供基地局２０２は、ＵＥ２０４に対してサービス提供しうる。さらに、システム２００は、情報、信号、データ、命令群、コマンド、ビット、シンボル等を送信しうる非サービス提供基地局２０６を含みうる。さらに、図示しないが、サービス提供基地局２０２および／または非サービス提供基地局２０６に類似した任意の数の基地局が、システム２００に含まれるか、および／または、ＵＥ２０４に類似した任意の数のＵＥが、システム２００に含まれうることが考慮される。
【００３８】
例によれば、ＵＥ２０４は、サービス提供基地局２０２によってサービス提供されうる。この例によれば、ＵＥ２０４は、サービス提供基地局２０２にアップリンク送信を送っている場合、（例えば、近隣セルに関連付けられた）非サービス提供基地局２０６への干渉を引き起こしうる。例えば、ＵＥ２０４は、サービス提供基地局２０２に関連付けられたセルの端部近傍に位置しうる。これによって、ＵＥ２０４は、非サービス提供基地局２０６に関連付けられた近隣セルの近くに位置しうる。しかし、権利主張される主題は、それに限定されないことが認識されるべきである。さらに、図示されていないが、サービス提供基地局２０２と非サービス提供基地局２０６とは実質的に類似しうる（例えば、非サービス提供基地局２０６は、サービス提供基地局２０２に対して干渉を引き起こしうる別のＵＥ（図示せず）に対してサービス提供しうる）ことも認識されるべきである。
【００３９】
非サービス提供基地局２０６は、バックホール・インタフェース構成要素２０８、過負荷シグナリング構成要素２１０、干渉モニタリング構成要素２１２、送信構成要素２１４、および／または、受信構成要素２１６を含みうる。送信構成要素２１４および受信構成要素２１６はそれぞれ、エア・インタフェースを介して信号を送信および受信しうる。さらに、バックホール・インタフェース構成要素２０８は、バックホール（例えば、Ｘ２インタフェース）を介して、別の基地局（例えば、サービス提供基地局２０２）とメッセージを交換しうる。
【００４０】
受信構成要素２１６は、ＵＥ２０４から送信されたアップリンク送信を受信しうる。ＵＥ２０４は、サービス提供基地局２０２によってサービス提供されうるので、非サービス提供基地局２０６の受信構成要素２１６によって受信されたアップリンク送信は、アップリンク干渉でありうる。さらに、図示していないが、受信構成要素２１６は、別のＵＥ（単数または複数）から送信されたアップリンク送信（単数または複数）を受信しうることが考慮される。別のＵＥ（単数または複数）は、非サービス提供基地局２０６によってサービス提供されるＵＥ（単数または複数）、および／または、非サービス提供基地局２０６とは異なる基地局（単数または複数）（例えば、サービス提供基地局２０２、異なる基地局（単数または複数）（図示せず））によってサービス提供されるＵＥ（単数または複数）を含みうる。非サービス提供基地局２０６以外の基地局（単数または複数）によってサービス提供されるＵＥ（単数または複数）から、非サービス提供基地局２０６の受信構成要素２１６によって受信されたアップリンク送信（単数または複数）もまた、アップリンク干渉でありえる。
【００４１】
干渉モニタリング構成要素２１２は、非サービス提供基地局２０６の受信構成要素２１６によって取得され、非サービス提供基地局２０６とは異なる基地局（単数または複数）によってサービス提供されているＵＥ（単数または複数）によって引き起こされているアップリンク干渉を測定しうる。例えば、干渉モニタリング構成要素２１２は、干渉オーバ・サーマル（ＩｏＴ）レベルを測定しうる。例によれば、干渉モニタリング構成要素２１２は、（近隣セル（単数または複数）内の他のＵＥ（単数または複数）によって送信されたその他のアップリンク送信（単数または複数）のみならず）ＵＥ２０４によって送信されたアップリンク送信のアップリンク干渉レベルを測定しうる。
【００４２】
さらに、過負荷シグナリング構成要素２１０は、干渉モニタリング構成要素２１２によって測定された干渉レベルを、しきい値（または、しきい値のセット）と比較しうる。過負荷シグナリング構成要素２１０は、この比較に基づいて、過負荷インジケータ（単数または複数）のための値を設定しうる。例えば、過負荷シグナリング構成要素２１０によって設定される値は、（例えば、１ビットによって伝送される）過負荷であるか否かのうちの１つでありうる。この例によれば、干渉モニタリング構成要素２１２によって測定された干渉レベルがしきい値を超えた場合、非サービス提供基地局２０６は、過負荷であると認識され、過負荷シグナリング構成要素２１０によって設定された値が、非サービス提供基地局２０６が過負荷であることを明示しうる。そうではなく、干渉モニタリング構成要素２１２によって測定された干渉レベルが、しきい値以下である場合、非サービス提供基地局２０６が過負荷ではないと認識され、過負荷シグナリング構成要素２１０によって設定された値が、非サービス提供基地局２０６が過負荷ではないことを明示しうる。別の例によれば、過負荷シグナリング構成要素２１０によって設定された値は、高干渉、中干渉、低干渉のうちの１つでありうる（例えば、干渉モニタリング構成要素２１２によって測定された干渉レベルが、２つのしきい値と比較されうる）。しかしながら、権利主張される主題は、前述した例に限定されないことが認識されるべきである。
【００４３】
過負荷シグナリング構成要素２１０は、オーバ・ザ・エア過負荷インジケータ、および／または、バックホール過負荷インジケータを生成しうる。これらのおのおのは、設定された値（例えば、過負荷であるか否か、高干渉であるか中干渉であるか低干渉であるか）を含みうる。本明細書に記載されたさまざまな例にしたがって、過負荷シグナリング構成要素２１０は、オーバ・ザ・エア過負荷インジケータおよびバックホール過負荷インジケータの両方を生成しうる。本明細書に記載されたその他の例によれば、過負荷シグナリング構成要素２１０は、バックホール過負荷インジケータを生成せずに、オーバ・ザ・エア過負荷インジケータを生成しうる。また、過負荷シグナリング構成要素２１０は、オーバ・ザ・エア過負荷インジケータを生成せずに、バックホール過負荷インジケータを生成しうることも考慮される。過負荷シグナリング構成要素２１０は、オーバ・ザ・エア過負荷インジケータおよび／またはバックホール過負荷インジケータを生成するものとして記載されているが、別の構成要素が、オーバ・ザ・エア過負荷インジケータとバックホール過負荷インジケータをそれぞれ生成しうることが認識されるべきである（図示せず）。
【００４４】
図２に示す例によれば、過負荷シグナリング構成要素２１０は、オーバ・ザ・エア過負荷インジケータとバックホール過負荷インジケータとの両方を生成しうる。さらにこの例によれば、送信構成要素２１４が、（例えば、ダウンリンクにおいて）エア・インタフェースを介してオーバ・ザ・エア過負荷インジケータ（ＯＴＡ  ＯＩ）を送信しうる。さらに、バックホール・インタフェース構成要素２０８は、Ｘ２インタフェースを介してバックホール過負荷インジケータ（バックホールＯＩ）を送信しうる。
【００４５】
サービス提供基地局２０２は、バックホール・インタフェース構成要素２１８、レポート分析構成要素２２０、コマンド生成構成要素２２２、受信構成要素２２４、および／または、送信構成要素２２６を含みうる。送信構成要素２２６は、エア・インタフェースを介して信号を送信し、受信構成要素２２４は、エア・インタフェースを介して信号を受信しうる。さらに、バックホール・インタフェース構成要素２１８は、バックホール（例えばＸ２インタフェース）を介してメッセージを交換しうる。
【００４６】
例えば、バックホール・インタフェース構成要素２１８は、Ｘ２インタフェースを介して非サービス提供基地局２０６から送信されたバックホール過負荷インジケータを受信しうる。コマンド生成構成要素２２２は、バックホール・インタフェース構成要素２１８によって非サービス提供基地局２０６から受信されたバックホール過負荷インジケータに少なくとも部分的に基づいて、電力制御コマンドを生成しうる。さらに、この電力制御コマンドはまた、以下に示すように、ＵＥ２０４から受信したレポートに少なくとも部分的に基づいて生成されうる。コマンド生成構成要素２２２によって生成された電力制御コマンドは、ＵＥ２０４の送信電力スペクトル密度（ＰＳＤ）の調節を管理しうる。さらに、コマンド生成構成要素２２２によって生成された電力制御コマンドが、物理ダウンリンク制御チャネル（ＰＤＣＣＨ）で送信されうる。これは、送信構成要素２２６によってＵＥ２０４へ送信されうる。
【００４７】
例えば、非サービス提供基地局２０６が過負荷であることを示すバックホール過負荷インジケータを、バックホール・インタフェース構成要素２１８が受信すると、コマンド生成構成要素２２２は、サービス提供基地局２０２によってサービス提供されているＵＥ（単数または複数）（例えば、ＵＥ２０４、別のＵＥ（単数または複数）（図示せず））のそれぞれの送信ＰＳＤ（単数または複数）を低減させうる。コマンド生成構成要素２２２は、ＵＥ（単数または複数）のためのそれぞれの電力制御コマンド（単数または複数）を生成することによって、送信ＰＳＤ（単数または複数）を低減させうる。
【００４８】
また別の例によれば、バックホール・インタフェース構成要素２１８による非サービス提供基地局２０６からのバックホール過負荷インジケータの受信に応答して、ＵＥ２０４のためのＰＳＤ低減量は、ＵＥ２０４によって引き起こされた干渉量に依存しうる。この例によれば、ＰＳＤの低減量は、ＵＥ２０４からサービス提供基地局２０２へと、ＵＥ２０４から非サービス提供基地局２０６へとの経路喪失の差に応じうる。経路喪失の差は、例えば、ＵＥ２０４からの測定レポートに基づいて、コマンド生成構成要素２２２によって計算されうる。
【００４９】
さらに、ＵＥ２０４は、送信構成要素２２８、受信構成要素２３０、フィードバック構成要素２３２、および／または、電力管理構成要素２３４を含みうる。送信構成要素２２８は、エア・インタフェースで信号を送信し、受信構成要素２３０は、エア・インタフェースで信号を受信しうる。前述したように、送信構成要素２２８は、例えば、サービス提供基地局２０２にアップリンク送信を送信しうる。サービス提供基地局２０２へ送信されたアップリンク送信は、非サービス提供基地局２０６へのアップリンク干渉を引き起こしうる（例えば、受信構成要素２１６によって取得され、インタフェース・モニタリング構成要素２１２によって測定される）。
【００５０】
さらに、受信構成要素２３０は、非サービス提供基地局２０６によって送信された（例えば、過負荷シグナリング構成要素２１０によって生成され、送信構成要素２１４によって送信された）オーバ・ザ・エア過負荷インジケータを受信しうる。電力管理構成要素２３４は、受信構成要素２３０によって受信された、非サービス提供基地局２０６からのオーバ・ザ・エア過負荷インジケータに基づいて、ＵＥ２０４の送信ＰＳＤを調節しうる。オーバ・ザ・エア過負荷インジケータに応じたＵＥ２０４の送信ＰＳＤの調節は、バックホール過負荷インジケータに応じて、コマンド生成構成要素２２２によってサービス提供基地局２０２において生成された電力制御コマンドに基づいて、ＵＥ２０４の送信ＰＳＤの調節よりも高速でありうる。例えば、オーバ・ザ・エア過負荷インジケータに基づくＵＥ２０４の送信ＰＳＤの調節は、バックホール過負荷インジケータに関連付けられたバックホール遅延、（例えば、コマンド生成構成要素２２２による）電力制御コマンド生成に関連付けられた遅延等により、より高速でありうる。
【００５１】
フィードバック構成要素２３２は、送信構成要素２２８によってサービス提供基地局２０２へ送信されうる、ＵＥ２０４に関する電力関連情報を含むレポートを生成しうる。例えば、フィードバック構成要素２３２によって生成されたレポートは、オーバ・ザ・エア過負荷インジケータに関連する情報（例えば、受信構成要素２３０によって受信された、非サービス提供基地局２０６からの情報、非サービス提供基地局２０６が過負荷であるか否か、非サービス提供基地局２０６が、高干渉、中干渉、低干渉を受けているか）、オーバ・ザ・エア過負荷インジケータや電力ヘッドルーム（例えば、調節後の最大送信ＰＳＤと送信ＰＳＤとの差）やこれらの組み合わせに基づく（例えば、電力管理構成要素２３４による）調節後の送信ＰＳＤ等を含みうる。
【００５２】
サービス提供基地局２０２の受信構成要素２２４は、ＵＥ２０４のフィードバック構成要素２３２によって生成されたレポートを受信しうる。さらに、レポート分析構成要素２２０が、このレポートを評価し、コマンド生成構成要素２２２に対して、ＵＥ２０４から送信されたレポートのみならず、バックホール・インタフェース構成要素２１８によって受信された、Ｘ２インタフェースを介した非サービス提供基地局２０６からのバックホール過負荷インジケータに応じて、ＵＥ２０４のための電力制御コマンドを生成させうる。したがって、コマンド生成構成要素２２２は、ＵＥ２０４からのレポートを考慮することによって、電力制御コマンドを発行しうる。
【００５３】
下記は、システム２００の動作を図示する例示である。ＵＥ２０４は、サービス提供基地局２０２へ（例えば、送信構成要素２２８を用いて）アップリンク送信を送る。これは、非サービス提供基地局２０６における干渉（例えば、アップリンク干渉）をもたらしうる。非サービス提供基地局２０６のインタフェース・モニタリング構成要素２１２は、非サービス提供基地局２０６において（例えば、受信構成要素２１６によって、ＵＥ２０４から、非サービス提供基地局２０６によって、別のＵＥ（単数または複数）から）受信した干渉を測定しうる。さらに、過負荷シグナリング構成要素２１０は、オーバ・ザ・エア過負荷インジケータと、バックホール過負荷インジケータとを生成しうる。これらは、測定された干渉に応じて設定された値を含む。例えば、オーバ・ザ・エア過負荷インジケータとバックホール過負荷インジケータとは、同じ値（例えば、非サービス提供基地局２０６が、過負荷であるか否か、非サービス提供基地局２０６が、高干渉を受けているか、中干渉を受けているか、あるいは低干渉を受けているか）を伝送しうる。さらに、送信構成要素２１４は、ＵＥ２０４へエア・インタフェースを介してオーバ・ザ・エア過負荷インジケータを送信し、バックホール・インタフェース構成要素２０８は、バックホール過負荷インジケータを、バックホール（例えば、Ｘ２インタフェース）を介してサービス提供基地局２０２へ送信しうる。
【００５４】
ＵＥ２０４の受信構成要素２３０は、オーバ・ザ・エア過負荷インジケータを受信し、電力管理構成要素２３４は、オーバ・ザ・エア過負荷インジケータに基づいて、ＵＥ２０４の送信ＰＳＤを調節しうる。例えば、非サービス提供基地局２０６が過負荷であることをオーバ・ザ・エア過負荷インジケータが示す場合、電力管理構成要素２３４は、ＵＥ２０４の送信ＰＳＤを低減しうる。電力管理構成要素２３４によって制御されるような送信ＰＳＤの低減量は、ＵＥ２０４によって引き起こされた干渉量に依存しうる（例えば、これは、ＵＥ２０４からサービス提供基地局２０２への経路喪失と、ＵＥ２０４から非サービス提供基地局２０６への経路喪失との差に応じうる）。別の例によれば、非サービス提供基地局２０６が過負荷ではないことをオーバ・ザ・エア過負荷インジケータが示す場合、電力管理構成要素２３４は、（例えば、ＵＥ２０４の電力ヘッドルームに依存して、）ＵＥ２０４の送信ＰＳＤを増加させるか、または、ＵＥ２０４の送信ＰＳＤの調節を禁止しうる。さらに、フィードバック構成要素２３２が、ＵＥ２０４に関する電力関連情報を含むレポートを生成しうる。この電力関連情報は、オーバ・ザ・エア過負荷インジケータに関する情報、オーバ・ザ・エア過負荷インジケータや電力ヘッドルームやこれらの組み合わせに基づく電力管理構成要素２３４による調節後の送信ＰＳＤ等を含みうる。このレポートは、送信構成要素２２８によって、アップリンクを介してサービス提供基地局２０２へ送信されうる。
【００５５】
サービス提供基地局２０２の受信構成要素２２４は、ＵＥ２０４のフィードバック構成要素２３２によって生成されたレポートを受信しうる。さらに、バックホール・インタフェース構成要素２１８は、非サービス提供基地局２０６によって送信されたバックホール過負荷インジケータを受信しうる。レポート分析構成要素２２０は、ＵＥ２０４から取得されたレポートを評価しうる。さらに、コマンド生成構成要素２２２が、レポート分析構成要素２２０によって評価されたものとしてＵＥ２０４から取得されたレポートと、バックホール過負荷インジケータとに基づいて、ＵＥ２０４のための電力制御コマンドを生成しうる。
【００５６】
例えば、レポート分析構成要素２２０は、このレポートから、ＵＥ２０４がオーバ・ザ・エア過負荷インジケータを受信したこと、オーバ・ザ・エア過負荷インジケータが、非サービス提供基地局２０６が過負荷であることを示す値を含んでいること、および、オーバ・ザ・エア過負荷インジケータに基づく調節後のＵＥ２０４の送信ＰＳＤ、を認識しうる。この例によれば、コマンド生成構成要素２２２は、バックホール負荷インジケータが、同様に、非サービス提供基地局２０６が過負荷であることを示す値を含んでいることを認識しうる。したがって、コマンド生成構成要素２２２は、ＵＥ２０４の送信ＰＳＤの調節をもたらす電力制御コマンドを発行するかを評価しうる。したがって、コマンド生成構成要素２２２は、ＵＥ２０４の送信ＰＳＤを調節すること（例えば、バックホール過負荷インジケータおよびオーバ・ザ・エア過負荷インジケータが、非サービス提供基地局２０６によって同時に提供されている場合に、電力管理構成要素２３４が、オーバ・ザ・エア過負荷インジケータに基づいてＵＥ２０４の送信ＰＳＤを既に調節している場合、バックホール過負荷インジケータに基づいて、ＵＥ２０４の送信ＰＳＤを２回調節すること）を、誤って軽減しうる。
【００５７】
別の例によれば、レポート分析構成要素２２０は、このレポートから、ＵＥ２０４がオーバ・ザ・エア過負荷インジケータを受信したこと、過負荷インジケータが、非サービス提供基地局２０６が過負荷ではないことを示す値を含んでいること、オーバ・ザ・エア過負荷インジケータおよび電力ヘッドルームに基づく増加後のＵＥ２０４の送信電力ＰＳＤを認識しうる。この例によれば、コマンド生成構成要素２２２は、バックホール過負荷インジケータも同様に非サービス提供基地局２０６が過負荷ではないことを示す値を含んでいることを認識しうる。したがって、コマンド生成構成要素２２２は、ＵＥ２０４の送信ＰＳＤのさらなる調節をさせる電力制御コマンドを発行するかを評価しうる。したがって、コマンド生成構成要素２２２は、ＵＥ２０４の送信ＰＳＤを調節すること（例えば、バックホール過負荷インジケータおよびオーバ・ザ・エア過負荷インジケータが、非サービス提供基地局２０６によって同時に提供されている場合に、電力管理構成要素２３４が、オーバ・ザ・エア過負荷インジケータに基づいてＵＥ２０４の送信ＰＳＤを既に調節している場合、バックホール過負荷インジケータに基づいて、ＵＥ２０４の送信ＰＳＤを２回調節すること）を、誤って軽減しうる。
【００５８】
別の例によれば、レポート分析構成要素２２０は、レポートから、ＵＥ２０４がオーバ・ザ・エア過負荷インジケータを受信したことを認識しうる。この過負荷インジケータは、非サービス提供基地局２０６が過負荷ではないことを示す値を含んでおり、ＵＥ２０４の送信電力ＰＳＤは、オーバ・ザ・エア過負荷インジケータおよび電力ヘッドルームに基づいて、変わらぬままである。この例によれば、コマンド生成構成要素２２２は、バックホール過負荷インジケータが同様に非サービス提供基地局２０６が過負荷ではないことを示す値を含んでいることを認識しうる。したがって、コマンド生成構成要素２２２は、ＵＥ２０４の送信ＰＳＤが調節されるようにする電力制御コマンドを発行するかを評価しうる（例えば、この評価は、電力ヘッドルームに少なくとも部分的に基づきうる）。
【００５９】
図３に移って、無線通信環境において、バックホール過負荷インジケータの送信を選択的にディセーブルするシステム３００が例示されている。システム３００は、サービス提供基地局２０２、非サービス提供基地局２０６、ＵＥ２０４、およびレガシーＵＥ３０２を含む。サービス提供基地局２０２は、ここで説明するように、バックホール・インタフェース構成要素２１８、レポート分析構成要素２２０、コマンド生成構成要素２２２、受信構成要素２２４、および／または、送信構成要素２２６を含みうる。さらに、非サービス提供基地局２０６は、ここで説明するように、バックホール・インタフェース構成要素２０８、過負荷シグナリング構成要素２１０、干渉モニタリング構成要素２１２、送信構成要素２１４、および／または、受信構成要素２１６を含みうる。さらに、ＵＥ２０４は、ここで説明されるように、送信構成要素２２８、受信構成要素２３０、フィードバック構成要素２３２、および／または、電力管理構成要素２３４を含みうる。
【００６０】
レガシーＵＥ３０２は、例えば、リリース８のＵＥでありうる。さらに、レガシーＵＥ３０２は、サービス提供基地局２０２によってサービス提供されうる。図示していないが、レガシーＵＥ３０２は、エア・インタフェースで送信を送る（例えば、ＵＥ２０４の送信構成要素２２８に類似した）送信構成要素と、エア・インタフェースで送信を受信する（例えば、ＵＥ２０４の受信構成要素２３０に類似した）受信構成要素と、（例えば、サービス提供基地局２０２によって受信されたバックホール過負荷インジケータに応じてコマンド生成構成要素２２２によって発行された）サービス提供基地局２０２から受信した電力制御コマンドに基づいてレガシーＵＥ３０２の送信ＰＳＤを調節する（例えば、ＵＥ２０４の電力管理構成要素２３４に類似した）電力管理構成要素と、を含みうることが考慮される。しかしながら、レガシーＵＥ３０２は、非サービス提供基地局２０６によって送信されたオーバ・ザ・エア過負荷インジケータを受信することができないことがある。
【００６１】
さらに、レガシーＵＥ３０２は、状態３０４にありうる。例によれば、状態３０４は、ラジオ・リソース制御＿アイドル（ＲＲＣ＿アイドル）状態（例えば、アイドル状態）、または、ＲＲＣ＿接続状態（例えば、アクティブ状態）のうちの１つでありうる。ＲＲＣ＿アイドル状態では、レガシーＵＥ３０２は、到来するコールを検出するためにページング・チャネルをモニタし、システム情報を取得し、近隣セル測定およびセル選択（セル再選択）を実行しうる。ＲＲＣ＿接続状態では、レガシーＵＥ３０２が、ネットワークへとデータを送信するか、ネットワークからデータを受信しうる。したがって、レガシーＵＥ３０２は、レガシーＵＥ３０２がアップリンク・データ送信またはダウンリンク・データ送信のためにスケジュールされているのかを判定するために、共有データ・チャネルに関連付けられた制御チャネルをモニタし、チャネル品質およびフィードバック情報を、サービス提供基地局２０２へ提供しうる。さらに、ＲＲＣ＿接続状態では、レガシーＵＥ３０２は、サービス提供基地局２０２によって提供された設定に基づいて、近隣セル測定および測定レポートを実行しうる。
【００６２】
サービス提供基地局２０２はさらに、状態シグナリング構成要素３０６を含みうる。状態シグナリング構成要素３０６は、レガシーＵＥ３０２の状態３０４をモニタしうる。さらに、状態シグナリング構成要素３０６は、サービス提供基地局２０２によってサービス提供されている他のレガシーＵＥ（単数または複数）（図示せず）のそれぞれの状態（単数または複数）をモニタしうる。さらに、状態シグナリング構成要素３０６は、レガシーＵＥ（単数または複数）（例えば、レガシーＵＥ、サービス提供基地局２０２によってサービス提供されている他のレガシーＵＥ（単数または複数））の状態（単数または複数）（例えば、状態３０４、サービス提供基地局２０２によってサービス提供されている他のレガシーＵＥ（単数または複数）のそれぞれの状態（単数または複数））を示す情報をシグナルしうる。この情報は、バックホール・インタフェース構成要素２１８によってバックホールを介して近隣基地局（単数または複数）（例えば、非サービス提供基地局２０６）へ送信されうる。
【００６３】
さらに、この情報は、非サービス提供基地局２０６のバックホール・インタフェース構成要素２０８によって受信されうる。さらに、非サービス提供基地局２０６は、この情報に基づいて、Ｘ２インタフェースを介したバックホール過負荷インジケータの送信を管理するバックホール制御構成要素３０８を含みうる。
【００６４】
例えば、状態シグナリング構成要素３０６は、サービス提供基地局２０２がＲＲＣ＿接続状態にあるレガシーＵＥにサービス提供していないこと（例えば、サービス提供基地局２０２が、レガシーＵＥにサービス提供していない、サービス提供基地局２０２によってサービス提供されているレガシーＵＥ３０２および／または他のレガシーＵＥ（単数または複数）が、ＲＲＣ＿アイドル状態にあること）を検出しうる。この例によれば、状態シグナリング構成要素３０６が、近隣基地局（単数または複数）（例えば、非サービス提供基地局２０６）へ情報をシグナルしうる。ここでは、この情報は、どのレガシーＵＥもサービス提供基地局２０２によってサービス提供されておらず、ＲＲＣ＿接続状態にないことを示しうる。この情報は、バックホール・インタフェース構成要素２１８によってバックホールを介して送信されうる。非サービス提供基地局２０６のバックホール・インタフェース構成要素２０８は、サービス提供基地局２０２から情報を受信し、この情報が、どのレガシーＵＥもサービス提供基地局２０２によってサービス提供されておらず、ＲＲＣ＿接続状態にない場合、バックホール制御構成要素３０８は、非サービス提供基地局２０６に対して、バックホールを介してバックホール過負荷インジケータを送信することを禁止させうる。この例にしたがって、オーバ・ザ・エア過負荷インジケータは、過負荷シグナリング構成要素２１０によって生成されうる。オーバ・ザ・エア過負荷インジケータは、バックホール・インタフェース構成要素２０８がバックホール過負荷インジケータを送信することなく、送信構成要素２１４によって、エア・インタフェースで非レガシーＵＥ（単数または複数）（例えば、ＵＥ２０４）へ送信されうる。バックホール過負荷インジケータの送信を禁止することによって、バックホール容量が節約されうる。
【００６５】
別の例によれば、状態シグナリング構成要素３０６は、サービス提供基地局が、ＲＲＣ＿接続状態にあるレガシーＵＥ（例えば、レガシーＵＥ３０２がＲＲＣ＿接続状態にある）にサービス提供していることを検出しうる。状態シグナリング構成要素３０６は、サービス提供基地局２０２によってサービス提供されているレガシーＵＥ（例えば、レガシーＵＥ３０２）がＲＲＣ＿接続状態にあることを示す情報を近隣基地局（単数または複数）（例えば、非サービス提供基地局２０６）へシグナルしうる。この情報は、バックホール・インタフェース構成要素２１８によってバックホールを介して送信されうる。非サービス提供基地局２０６のバックホール・インタフェース構成要素２０８は、サービス提供基地局２０２から情報を受信しうる。そして、サービス提供基地局２０２によってサービス提供されているレガシーＵＥがＲＲＣ＿接続状態にある場合、バックホール制御構成要素３０８は、非サービス提供基地局に対して、バックホールを介してバックホール過負荷インジケータを送信させうる。この例にしたがって、オーバ・ザ・エア過負荷インジケータとバックホール過負荷インジケータとの両方が、過負荷シグナリング構成要素２１０によって生成されうる。したがって、オーバ・ザ・エア過負荷インジケータは、送信構成要素２１４によってエア・インタフェースを介して送信され、バックホール過負荷インジケータは、バックホール・インタフェース構成要素２０８によってバックホールを介して送信されうる。この例は、オーバ・ザ・エア過負荷インジケータとバックホール過負荷インジケータとの両方が非サービス提供基地局２０６によって送信される図２に関連して説明されるシナリオ例に類似しうることが考慮される。
【００６６】
図４に移って、無線通信環境においてＵＥによって利用される過負荷インジケータのタイプを管理するシステム４００が例示される。システム４００は、サービス提供基地局２０２、非サービス提供基地局２０６、およびＵＥ２０４を含む。サービス提供基地局２０２は、ここで説明するように、バックホール・インタフェース構成要素２１８、レポート分析構成要素２２０、コマンド生成構成要素２２２、受信構成要素２２４、および／または、送信構成要素２１４、を含みうる。さらに、非サービス提供基地局２０６は、ここで説明するように、バックホール・インタフェース構成要素２０８、過負荷シグナリング構成要素２１０、干渉モニタリング構成要素２１２、送信構成要素２１４、および／または、受信構成要素２２４、を含みうる。さらに、ＵＥ２０４は、ここで説明するように、送信構成要素２２８、受信構成要素２３０、および／または、電力管理構成要素２３４を含みうる。図示していないが、ＵＥ２０４はさらに、フィードバック構成要素（例えば、図２のフィードバック構成要素２３２）を含みうることが考慮される。
【００６７】
サービス提供基地局２０２はさらに、サービス提供基地局２０２によってサービス提供されるＵＥ２０４に対して、受信したオーバ・ザ・エア過負荷インジケータを適用するかまたは無視するように設定しうるＵＥ管理構成要素４０２を含みうる。例によれば、ＵＥ管理構成要素４０２が、受信したオーバ・ザ・エア過負荷インジケータを適用するようにＵＥ２０４を設定した場合、この例は、オーバ・ザ・エア過負荷インジケータとバックホール過負荷インジケータとの両方が、非サービス提供基地局２０６によって送信される図２に関して記載されたシナリオ例に類似しうる。
【００６８】
別の例によれば、ＵＥ管理構成要素４０２は、オーバ・ザ・エア過負荷インジケータを無視するようにＵＥ２０４を設定しうる。例えば、設定情報が、送信構成要素２２６によって、エア・インタフェースを介してＵＥ２０４へ送信されうる。ＵＥ２０４の受信構成要素２３０は、この設定情報を取得しうる。さらに、ＵＥ２０４は、サービス提供基地局２０２から受信した設定情報に基づいて、ＵＥ２０４に対して、オーバ・ザ・エア過負荷インジケータを選択的に無視させうるＯＴＡディセーブル構成要素４０４を含みうる。例えば、非サービス提供基地局２０６は、オーバ・ザ・エア過負荷インジケータとバックホール過負荷インジケータとの両方を生成および送信しうる。しかしながら、ＵＥ２０４の電力管理構成要素２３４は、ＯＴＡディセーブル構成要素４０４がオーバ・ザ・エア過負荷インジケータを選択的に無視するように設定されている場合、オーバ・ザ・エア過負荷インジケータに基づいて、ＵＥ２０４の送信ＰＳＤを調節することを禁止しうる。しかし、非サービス提供基地局２０６は、このようなシナリオの下、オーバ・ザ・エア過負荷インジケータの生成および送信を行う必要がないと考えられるので、権利主張される主題は、前述した例に限定されない。
【００６９】
ＵＥ２０４が、（例えば、非サービス提供基地局２０６によって送信された）オーバ・ザ・エア過負荷インジケータを無視するように設定されている場合、サービス提供基地局２０２から受信した電力制御コマンドに基づいて、ＵＥ２０４の送信ＰＳＤの調節が有効とされうる。さらに、電力制御コマンドは、非サービス提供基地局からＸ２インタフェースを介して交換されたバックホール過負荷インジケータに応じて、サービス提供基地局のコマンド生成構成要素２２２によって生成されうる。
【００７０】
ＵＥ２０４によるオーバ・ザ・エア過負荷インジケータの使用をディセーブルすることにより、ＵＥ２０４（例えば、リリース９／１０のＵＥ）は、レガシーＵＥ（例えば、図３のレガシーＵＥ３０２、リリース８のＵＥ）と同様に振る舞うようになる。したがって、ＵＥ２０４は、レガシーＵＥと同様に機能を提供することに退化しうる。しかし、オーバ・ザ・エア過負荷インジケータの使用をディセーブルすることによって、Ｌ１におけるオーバヘッド容量が節約されうる。
【００７１】
図５−６を参照して、無線通信環境おいて、過負荷インジケータ（単数または複数）に応答することに関連する方法が例示される。説明を単純にする目的で、これら方法は、一連の動作として示され説明されているが、これら方法は、１または複数の実施形態にしたがって、幾つかの動作が本明細書で示され記載されたものとは異なる順序で、あるいは他の動作と同時に生じうるので、動作の順序によって限定されないことが理解され認識されるべきである。例えば、当業者であれば、これら方法はその代わりに、例えば状態図におけるように、一連の相互関連する状態またはイベントとして表されうることを理解し認識するだろう。さらに、１または複数の実施形態にしたがって方法を実現するために、必ずしも例示されたすべての動作が必要とされる訳ではない。
【００７２】
図５を参照して、無線通信環境において、過負荷インジケータに対して応答することを容易にする方法５００が例示される。５０２では、ユーザ機器（ＵＥ）において、非サービス提供基地局から、オーバ・ザ・エア過負荷インジケータが受信されうる。このオーバ・ザ・エア過負荷インジケータは、例えば、非サービス提供基地局が、過負荷であるか、過負荷ではないかのうちの１つを示しうる。別の例によれば、オーバ・ザ・エア過負荷インジケータは、非サービス提供基地局が、高干渉、中干渉、低干渉のうちの１つを受けていることを示しうる。５０４では、オーバ・ザ・エア過負荷インジケータに基づいてレポートが生成されうる。例えば、このレポートは、オーバ・ザ・エア過負荷インジケータ、オーバ・ザ・エア過負荷インジケータに基づいて調節された後のＵＥの送信電力スペクトル密度（ＰＳＤ）、または、ＵＥの電力ヘッドルームのうちの少なくとも１つに関連する情報を含みうる。例によれば、ＵＥの送信ＰＳＤは、非サービス提供基地局から受信したオーバ・ザ・エア過負荷インジケータに基づいて調節されうる。５０６では、このレポートは、ＵＥからサービス提供基地局へ送信されうる。
【００７３】
別の例によれば、電力制御コマンドは、ＵＥにおいて、サービス提供基地局から受信されうる。この例によれば、電力制御コマンドは、サービス提供基地局によって受信された非サービス提供基地局からのバックホール過負荷インジケータと、ＵＥによって送信されたレポートとに応じうる。例えば、電力制御コマンドは、サービス提供基地局から、物理ダウンリンク制御チャネル（ＰＤＣＣＨ）で受信されうる。さらに、ＵＥの送信ＰＳＤが、電力制御コマンドに基づいて調節されうる。
【００７４】
さらに別の例によれば、ＵＥは、サービス提供基地局によって、非サービス提供基地局から送信されたオーバ・ザ・エア過負荷インジケータを無視するように設定されうる。したがって、電力制御コマンドは、ＵＥにおいて、サービス提供基地局から受信されうる。ここで、電力制御コマンドは、サービス提供基地局によって受信された、非サービス提供基地局からのバックホール過負荷インジケータに応じうる。さらに、ＵＥの送信ＰＳＤは、非サービス提供基地局から送信されたオーバ・ザ・エア過負荷インジケータに基づいて、変更のない電力制御コマンドに基づいて調節されうる。
【００７５】
図６に移って、無線通信環境において、過負荷インジケータに応答することを容易にする方法６００が例示される。６０２では、ユーザ機器（ＵＥ）によって受信された、非サービス提供基地局からのオーバ・ザ・エア過負荷インジケータに基づいて生成されたレポートが、ＵＥから受信されうる。例えば、このレポートは、オーバ・ザ・エア過負荷インジケータ、オーバ・ザ・エア過負荷インジケータに基づいて調節された後のＵＥの送信電力スペクトル密度（ＰＳＤ）、または、ＵＥの電力ヘッドルームのうちの少なくとも１つに関連する情報を含みうる。６０４では、ＵＥのための電力制御コマンドが、ＵＥから受信したレポートに少なくとも部分的に基づいて生成されうる。例によれば、ＵＥのための電力制御コマンドはさらに、バックホールを介して非サービス提供基地局から受信したバックホール過負荷インジケータに基づいて生成されうる。さらに、電力制御コマンドは、物理ダウンリンク制御チャネル（ＰＤＣＣＨ）でダウンリンクによってＵＥへ送信されうる。
【００７６】
別の例によれば、ＵＥは、ＵＥによって非サービス提供基地局から受信されたオーバ・ザ・エア過負荷インジケータを無視するように、サービス提供基地局によって設定されうる。この例によれば、ＵＥの電力制御コマンドは、バックホールを介して非サービス提供基地局から受信したバックホール過負荷インジケータに基づいて生成されうる。
【００７７】
さらに別の例によれば、非サービス提供基地局に情報がシグナルされ、非サービス提供基地局に対して、サービス提供されているＵＥのタイプ（例えば、レガシーＵＥ対非レガシーＵＥ）および状態（例えば、アクティブ状態であるかアイドル状態であるか、ＲＲＣ＿接続状態であるかＲＲＣ＿アイドル状態であるか）に応じて、バックホールを介してバックホール過負荷インジケータを送信するか、または、送信を禁止するかを選択的に実行させる。この例によれば、サービス提供基地局が少なくとも１つのレガシーＵＥ（例えば、リリース８のＵＥ）にサービス提供するかに関する判定が有効とされうる。サービス提供基地局が、少なくとも１つのレガシーＵＥにサービス提供していないと認識された場合、サービス提供基地局は、非サービス提供基地局に対して情報をシグナルし、非サービス提供基地局に対して、バックホールを介してバックホール過負荷インジケータを送信させないようにする。サービス提供基地局が、少なくとも１つのレガシーＵＥにサービス提供していると認識された場合、少なくとも１つのレガシーＵＥのそれぞれの状態が判定されうる。サービス提供基地局によってサービス提供されている少なくとも１つのレガシーＵＥの何れもが、アクティブ状態（例えば、ＲＲＣ＿接続状態）にあると認識されなかった場合、サービス提供基地局が、非サービス提供基地局に対して情報をシグナルし、非サービス提供基地局に対して、バックホールを介してバックホール過負荷インジケータを送信することを禁止させる。あるいは、サービス提供基地局によってサービス提供されている少なくとも１つのレガシーＵＥのうちの１または複数が、アクティブ状態（例えば、ＲＲＣ＿接続状態）にあると認識された場合、サービス提供基地局は、非サービス提供基地局へ情報をシグナルし、非サービス提供基地局に対して、バックホールを介してバックホール過負荷インジケータを送信させる。
【００７８】
本明細書に記載された１または複数の態様によれば、無線通信環境において、オーバ・ザ・エア・インジケータ、および／または、バックホール過負荷インジケータを適用することに関して推論がなされうることが認識されるだろう。本明細書で使用されるように、「推論する」または「推論」なる用語は一般に、イベントおよび／またはデータによって取得されたような観察のセットから、システム、環境、および／または、ユーザの状態の推論あるいはそれらに関する推理のプロセスを称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００７９】
図７を参照して、無線通信環境において、過負荷インジケータを利用することをイネーブルするシステム７００が例示される。例えば、システム７００はＵＥ内に存在しうる。システム７００は、プロセッサ、ソフトウェア、またはそれらの組み合わせ（例えば、ファームウェア）によって実現される機能を表す機能ブロックでありうる機能ブロックを含むものとして示されることが認識されるべきである。システム７００は、連携して動作しうる電子構成要素の論理グループ７０２を含む。例えば、論理グルー７０２は、ユーザ機器（ＵＥ）において非サービス提供基地局からオーバ・ザ・エア過負荷インジケータを受信するための電子構成要素７０４を含みうる。さらに、論理グループ７０２は、オーバ・ザ・エア過負荷インジケータに基づいてレポートを生成するための電子構成要素７０６を含みうる。さらに、論理グループ７０２は、ＵＥからサービス提供基地局へレポートを送信するための電子構成要素７０８を含みうる。論理グループ７０２はまた、オプションとして、非サービス提供基地局から受信したオーバ・ザ・エア過負荷インジケータに基づいて、ＵＥの送信電力スペクトル密度（ＰＳＤ）を調節するための電子構成要素７１０を含みうる。さらに、論理グループ７０２は、オプションとして、サービス提供基地局から受信した電力制御コマンドに基づいて、ＵＥの送信電力スペクトル密度（ＰＳＤ）を調節するための電子構成要素７１２を含みうる。ここで、電力制御コマンドは、サービス提供基地局によって非サービス提供基地局から受信されたバックホール過負荷インジケータおよびレポートに応じうる。さらに、システム７００は、電子構成要素７０４、７０６、７０８、７１０、７１２に関連付けられた機能を実行するための命令群を保持するメモリ７１４を含みうる。メモリ７１４の外部にあるとして示されているが、電子構成要素７０４、７０６、７０８、７１０、７１２のうちの１または複数は、メモリ７１４の内部に存在しうることが理解されるべきである。
【００８０】
図８を参照して、無線通信環境において過負荷インジケータを適用することをイネーブルするシステム８００が例示されている。例えば、システム８００は、基地局内に少なくとも部分的に存在しうる。システム８００は、プロセッサ、ソフトウェア、またはこれらの組み合わせ（例えば、ファームウェア）によって実現される機能を表す機能ブロックでありうる機能ブロックを含むものとして示されることが認識されるべきである。システム８００は、連携して動作しうる電子構成要素の論理グループ８０２を含む。例えば、論理グループ８０２は、ユーザ機器（ＵＥ）によって受信された非サービス提供基地局からのオーバ・ザ・エア過負荷インジケータに基づいて生成されたレポートを、ＵＥから受信するための電子構成要素８０４を含みうる。さらに、論理グループ８０２は、ＵＥから受信したレポートに少なくとも部分的に基づいて、ＵＥのための電力制御コマンドを生成するための電子構成要素８０６を含みうる。論理グループ８０２はまた、オプションとして、非サービス提供基地局からバックホールを介して受信されたバックホール過負荷インジケータにさらに基づいて、ＵＥのための電力制御コマンドを生成するための電子構成要素８０８を含みうる。さらに、論理グループ８０２は、オプションとして、ＵＥによって非サービス提供基地局から受信されたオーバ・ザ・エア過負荷インジケータを無視するようにＵＥを設定するための電子構成要素８１０を含みうる。さらに、論理グループ８０２は、オプションとして、非サービス提供基地局へ情報をシグナリングし、非サービス提供基地局に対して、サービス提供されているＵＥのタイプおよび状態に応じて、バックホールを介してバックホール過負荷インジケータを送信するか、送信を禁止するかの何れかを選択的に実行させるための電子構成要素８１２を含みうる。さらに、システム８００は、電子構成要素８０４、８０６、８０８、８１０、８１２に関連付けられた機能を実行するための命令群を保持するメモリ８１４を含みうる。メモリ８１４の外部にあるとして示されているが、電子構成要素８０４、８０６、８０８、８１０、８１２のうちの１または複数は、メモリ８１４の内部に存在しうることが理解されるべきである。
【００８１】
図９は、本明細書に記載された機能のさまざまな態様を実現するために利用されうるシステム９００の例示である。システム９００は、基地局９０２（例えば、サービス提供基地局２０２、非サービス提供基地局２０６）を含みうる。基地局９０２は、１または複数のＵＥ９０４からの信号（単数または複数）を、１または複数の受信（Ｒｘ）アンテナ９０６を経由して受信し、１または複数の送信（Ｔｘ）アンテナ９０８を経由して１または複数のＵＥ９０４へ送信しうる。さらに、基地局９０２は、受信アンテナ（単数または複数）９０６から情報を受信する受信機９１０を備えうる。一例によれば、受信機９１０は、受信した情報を復調する復調器（Ｄｅｍｏｄ）９１２と動作可能に関連付けられうる。復調されたシンボルは、プロセッサ９１４によって分析されうる。プロセッサ９１４はメモリ９１６に接続されており、メモリ９１６は、ＵＥ（単数または複数）９０４との間で送信または受信されるデータ、および／または、本明細書に記載されたさまざまな動作および機能を実行することに関連するその他任意の適切なプロトコル、アルゴリズム、情報等を格納する。例えば、基地局９０２は、方法６００および／またはその他の類似かつ適切な方法を実行するためのプロセッサ９１４を適用しうる。基地局９０２はさらに、送信機９２０によるアンテナ（単数または複数）９０８を介した送信のために、信号を多重化しうる変調器９１８を含みうる。
【００８２】
プロセッサ９１４は、受信機９１０によって受信された情報を分析すること、送信機９２０による送信のための情報を生成すること、または、基地局９０２の１または複数の構成要素を制御すること、に特化されたプロセッサでありうる。別の例によれば、プロセッサ９１４は、受信機９１０によって受信された情報の分析と、送信機９２０による送信のための情報の生成と、基地局９０２の１または複数の構成要素の制御とを実行しうる。基地局９０２のうちの１または複数の構成要素は、例えば、バックホール・インタフェース構成要素２１８（例えばバックホール・インタフェース構成要素２０８）、レポート分析構成要素２２０、コマンド生成構成要素２２２、受信構成要素２２４（例えば、受信構成要素２１６）、送信構成要素２２６（例えば、送信構成要素２１４）、過負荷シグナリング構成要素２１０、干渉モニタリング構成要素２１２、状態シグナリング構成要素３０６、バックホール制御構成要素３０８、および／または、ＵＥ管理構成要素４０２、を含みうる。さらに、図示されていないが、基地局９０２のうちの１または複数の構成要素は、プロセッサ９１４または複数のプロセッサ（図示せず）のうちの一部でありうることが考慮される。
【００８３】
図１０は、本明細書に記載された機能のさまざまな態様を実現するために利用されうるシステム１０００の例示である。システム１０００は、ＵＥ１００２（例えば、ＵＥ２０４、レガシーＵＥ３０２）を含みうる。ＵＥ１００２は、１または複数の基地局１００４から信号を受信し、１または複数のアンテナ１００６を経由して１または複数の基地局１００４へ送信しうる。さらに、ＵＥ１００２は、受信アンテナ（単数または複数）１００６から情報を受け取る受信機１００８を含みうる。例によれば、受信機１００８は、受信した情報を復調する復調器（Ｄｅｍｏｄ）１０１０と動作可能に関連付けられうる。その後、復調されたシンボルは、プロセッサ１０１２によって分析されうる。プロセッサ１０１２はメモリ１０１４に接続されており、メモリ１０１４は、基地局（単数または複数）１００４との間で送信または受信されるデータ、および／または、本明細書に記載されたさまざまな動作および機能を実行することに関連するその他任意の適切なプロトコル、アルゴリズム、情報等を格納する。例えば、ＵＥ１００２は、方法５００および／またはその他の類似かつ適切な方法を実行するためのプロセッサ１０１２を適用しうる。ＵＥ１００２はさらに、送信機１０１８によるアンテナ（単数または複数）１００６を介した送信のために、信号を多重化しうる変調器１０１６を含みうる。
【００８４】
プロセッサ１０１２は、受信機１００８によって受信された情報を分析すること、送信機１０１８による送信のための情報を生成すること、または、ＵＥ１００２の１または複数の構成要素を制御すること、に特化されたプロセッサでありうる。別の例によれば、プロセッサ１０１２は、受信機１００８によって受信された情報の分析と、送信機１０１８による送信のための情報の生成と、ＵＥ１００２の１または複数の構成要素の制御とを実行しうる。ＵＥ１００２のうちの１または複数の構成要素は、例えば、送信構成要素２２８、受信構成要素２３０、フィードバック構成要素２３２、電力管理構成要素２３４、および／または、ＯＴＡディセーブル構成要素４０４を含みうる。さらに、図示されていないが、ＵＥ１００２のうちの１または複数の構成要素は、プロセッサ１０１２または複数のプロセッサ（図示せず）のうちの一部でありえることが考慮される。
【００８５】
図１１は、無線通信システム１１００の例を示す。無線通信システム１１００は、簡略のために、１つの基地局１１１０と１つのＵＥ１１５０しか示していない。しかしながら、システム１１００は、複数の基地局および／または複数のＵＥを含むことができ、追加の基地局および／またはＵＥは、以下に示すような基地局１１１０およびＵＥ１１５０の例と実質的に同じでも、あるいは別のものでもありうることが認識されるべきである。それに加えて、基地局１１１０および／またはＵＥ１１５０は、その間の無線通信を容易にするために、本明細書に記載されたシステム（図１−４、７−１０）、および／または方法（図５−６）を適用しうることが認識されるべきである。
【００８６】
基地局１１１０では、多くのデータ・ストリームのためのトラフィック・データが、データ・ソース１１１２から送信（ＴＸ）データ・プロセッサ１１１４へ提供される。一例によれば、おのおののデータ・ストリームが、それぞれのアンテナを介して送信される。ＴＸデータ・プロセッサ１１１４は、トラフィック・データ・ストリームをフォーマットし、このデータ・ストリームのために選択された特定の符号化スキームに基づいて符号化し、インタリーブして、符号化されたデータを提供する。
【００８７】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般に、既知の方法で処理される既知のデータ・パターンであり、ＵＥ１１５０において、チャネル応答を推定するために使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ１１３０によって実行または提供される指示によって決定されうる。
【００８８】
データ・ストリームの変調シンボルは、（例えば、ＯＦＤＭのために）変調シンボルを処理するＴＸ  ＭＩＭＯプロセッサ１１２０に提供される。ＴＸ  ＭＩＭＯプロセッサ１１２０は、その後、ＮＴ個の変調シンボル・ストリームを、ＮＴ個の送信機（ＴＭＴＲ）１１２２ａ乃至１１２２ｔへ提供する。さまざまな実施形態において、ＴＸ  ＭＩＭＯプロセッサ１１２０は、データ・ストリームのシンボル、および、そのシンボルが送信されるアンテナへ、ビームフォーミング重みを適用する。
【００８９】
おのおのの送信機１１２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機１１２２ａ乃至１１２２ｔからのＮＴ個の変調信号が、ＮＴ個のアンテナ１１２４ａ乃至１１２４ｔから送信される。
【００９０】
ＵＥ１１５０では、送信された調整された信号が、ＮＲ個のアンテナ１１５２ａ乃至１１５２ｒによって受信され、おのおののアンテナ１１５２からの受信信号が、それぞれの受信機（ＲＣＶＲ）１１５４ａ乃至１１５４ｒへ提供される。おのおのの受信機１１５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００９１】
ＲＸデータ・プロセッサ１１６０は、ＮＲ個の受信機１１５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ１１６０は、検出されたおのおののシンボル・ストリームを復調し、デインタリーブし、復号して、そのデータ・ストリームのためのトラフィック・データを復元する。ＲＸデータ・プロセッサ１１６０による処理は、基地局１１１０におけるＴＸ  ＭＩＭＯプロセッサ１１２０およびＴＸデータ・プロセッサ１１１４によって実行されるものと相補的である。
【００９２】
プロセッサ１１７０は、上述したように、利用可能などの技術を利用するのかを定期的に決定する。さらに、プロセッサ１１７０は、行列インデクス部およびランク値部を備えた逆方向リンク・メッセージを規定することができる。
【００９３】
逆方向リンク・メッセージは、通信リンクおよび／または受信されたデータ・ストリームに関するさまざまなタイプの情報を備えうる。逆方向リンク・メッセージは、データ・ソース１１３６から多くのデータ・ストリームのトラフィック・データをも受け取るＴＸデータ・プロセッサ１１３８によって処理され、変調器１１８０によって変調され、送信機１１５４ａ乃至１１５４ｒによって調整され、基地局１１１０へと送り返される。
【００９４】
基地局１１１０では、ＵＥ１１５０からの変調信号が、アンテナ１１２４によって受信され、受信機１１２２によって調整され、復調器１１４０によって復調され、ＲＸデータ・プロセッサ１１４２によって処理されることによって、ＵＥ１１５０によって送信された逆方向リンク・メッセージが抽出される。さらに、プロセッサ１１３０は、ビームフォーミング重みを決定するためにどの事前符号化行列を使用するかを決定するために、この抽出されたメッセージを処理する。
【００９５】
プロセッサ１１３０、１１７０は、基地局１１１０およびＵＥ１１５０における動作を指示（例えば、制御、調整、管理等）しうる。プロセッサ１１３０およびプロセッサ１１７０はそれぞれ、プログラム・コードおよびデータを格納するメモリ１１３２およびメモリ１１７２に関連付けられうる。プロセッサ１１３０およびプロセッサ１１７０はまた、アップリンクおよびダウンリンクそれぞれのための周波数およびインパルス応答推定値を導出する計算をも実行する。
【００９６】
本明細書に記載された態様は、ハードウェア、ソフトウェア、ファームウェア、ミドルウェア、マイクロコード、あるいはそれらの任意の組み合わせによって実現されうることが理解されるべきである。ハードウェアで実現する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラム可能論理回路（ＰＬＤ）、フィールドプログラム可能ゲート・アレイ（ＦＰＧＡ）、プロセッサ、コントローラ、マイクロ・コントローラ、マイクロプロセッサ、本明細書に記載の機能を実行するために設計されたその他の電子ユニット、あるいはこれらの組み合わせ内に実装されうる。
【００９７】
これら実施形態が、ソフトウェア、ファームウェア、ミドルウェアあるいはマイクロコード、プログラム・コードあるいはコード・セグメントで実現される場合、これらは、例えば記憶素子のような機械読取可能媒体に格納されうる。コード・セグメントは、手順、機能、サブプログラム、プログラム、ルーチン、サブルーチン、モジュール、ソフトウェア・パッケージ、クラス、または、命令、データ構造、あるいはプログラム文からなる任意の組み合わせを表すことができる。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。
【００９８】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９９】
上述したものは、１または複数の実施形態の一例しか含んでいない。もちろん、上述した態様を説明する目的で、構成要素または方法の考えられる全ての組み合わせを記述することは可能ではないが、当業者であれば、さまざまな態様のさらに多くの組み合わせおよび置き換えが可能であることを認識することができる。したがって、記載された態様は、特許請求の範囲の精神および範囲内にあるそのような全ての変更、修正、および変形を含むことが意図される。さらにまた、用語「含む」が、詳細説明あるいは特許請求の範囲のうちの何れかで使用されている限り、その用語は、用語「備える」が、発明における遷移語として適用される場合に解釈される用語「備える」と同様に、包括的であることが意図される。
以下に、出願時の特許請求の範囲に記載された発明を付記する。
［発明１］
無線通信環境において、過負荷インジケータに応答することを容易にする方法であって、
ユーザ機器（ＵＥ）において、非サービス提供基地局から、オーバ・ザ・エア過負荷インジケータを受信することと、
前記オーバ・ザ・エア過負荷インジケータに基づいてレポートを生成することと、
前記ＵＥからサービス提供基地局へ前記レポートを送信することと、
を備える方法。
［発明２］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明１に記載の方法。
［発明３］
前記非サービス提供基地局から受信した前記オーバ・ザ・エア過負荷インジケータに基づいて、前記ＵＥの送信電力スペクトル密度（ＰＳＤ）を調節することをさらに備える、発明１に記載の方法。
［発明４］
前記ＵＥにおいて、前記サービス提供基地局から電力制御コマンドを受信することと、ここで、前記電力制御コマンドは、前記サービス提供基地局によって受信された前記非サービス提供基地局からのバックホール過負荷インジケータと、前記ＵＥによって送信されたレポートとに応じ、
前記ＵＥの送信ＰＳＤを、前記電力制御コマンドに基づいて調節することと、
をさらに備える、発明３に記載の方法。
［発明５］
前記ＵＥは、前記サービス提供基地局によって、前記非サービス提供基地局から送信されたオーバ・ザ・エア過負荷インジケータを無視するように設定される、発明１に記載の方法。
［発明６］
前記ＵＥにおいて、前記サービス提供基地局から電力制御コマンドを受信することと、ここで、前記電力制御コマンドは、前記サービス提供基地局によって受信された、前記非サービス提供基地局からのバックホール過負荷インジケータに応じ、
前記ＵＥの送信電力スペクトル密度（ＰＳＤ）を、前記非サービス提供基地局から送信されたオーバ・ザ・エア過負荷インジケータに基づいて、変更のない前記電力制御コマンドに基づいて調節することと、
をさらに備える、発明５に記載の方法。
［発明７］
無線通信装置であって、
ユーザ機器（ＵＥ）において、非サービス提供基地局から、オーバ・ザ・エア過負荷インジケータを受信することと、
前記オーバ・ザ・エア過負荷インジケータに基づいてレポートを生成することと、
前記ＵＥからサービス提供基地局へ前記レポートを送信することと
に関連する命令群を保持するメモリと、
前記メモリに接続され、前記メモリに保持された命令群を実行するように構成されたプロセッサと、
を備える無線通信装置。
［発明８］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明７に記載の無線通信装置。
［発明９］
前記メモリはさらに、前記非サービス提供基地局から受信した前記オーバ・ザ・エア過負荷インジケータに基づいて、前記ＵＥの送信電力スペクトル密度（ＰＳＤ）を調節することに関連する命令群を保持する、発明７に記載の無線通信装置。
［発明１０］
前記メモリはさらに、
前記ＵＥにおいて、前記サービス提供基地局から電力制御コマンドを受信することと、ここで、前記電力制御コマンドは、前記サービス提供基地局によって受信された前記非サービス提供基地局からのバックホール過負荷インジケータと、前記ＵＥによって送信されたレポートとに応じ、
前記ＵＥの送信ＰＳＤを、前記電力制御コマンドに基づいて調節することと、
に関連する命令群を保持する、発明９に記載の無線通信装置。
［発明１１］
前記ＵＥは、前記サービス提供基地局によって、前記非サービス提供基地局から送信されたオーバ・ザ・エア過負荷インジケータを無視するように設定される、発明７に記載の無線通信装置。
［発明１２］
前記メモリはさらに、
前記ＵＥにおいて、前記サービス提供基地局から電力制御コマンドを受信することと、ここで、前記電力制御コマンドは、前記サービス提供基地局によって受信された、前記非サービス提供基地局からのバックホール過負荷インジケータに応じ、
前記ＵＥの送信電力スペクトル密度（ＰＳＤ）を、前記非サービス提供基地局から送信されたオーバ・ザ・エア過負荷インジケータに基づいて、変更のない前記電力制御コマンドに基づいて調節することと、
に関連する命令群を保持する、発明１１に記載の無線通信装置。
［発明１３］
無線通信環境において、過負荷インジケータを利用することをイネーブルする無線通信装置であって、
ユーザ機器（ＵＥ）において、非サービス提供基地局から、オーバ・ザ・エア過負荷インジケータを受信する手段と、
前記オーバ・ザ・エア過負荷インジケータに基づいてレポートを生成する手段と、
前記ＵＥからサービス提供基地局へ前記レポートを送信する手段と、
を備える無線通信装置。
［発明１４］
前記非サービス提供基地局から受信した前記オーバ・ザ・エア過負荷インジケータに基づいて、前記ＵＥの送信電力スペクトル密度（ＰＳＤ）を調節する手段をさらに備える、発明１３に記載の無線通信装置。
［発明１５］
前記サービス提供基地局から受信した電力制御コマンドに基づいて、前記ＵＥの送信電力スペクトル密度（ＰＳＤ）を調節する手段をさらに備え、
前記電力制御コマンドは、前記サービス提供基地局によって受信された、前記非サービス提供基地局からのバックホール過負荷インジケータおよび前記レポートに応じる、発明１３に記載の無線通信装置。
［発明１６］
前記レポートは、前記オーバ・ザ・エア過負荷インジケータ、前記オーバ・ザ・エア過負荷インジケータに基づいて調節された後のＵＥの送信電力スペクトル密度（ＰＳＤ）、または、前記ＵＥの電力ヘッドルームのうちの少なくとも１つに関連した情報を含む、発明１３に記載の無線通信装置。
［発明１７］
前記ＵＥは、前記サービス提供基地局によって、前記非サービス提供基地局から送信されたオーバ・ザ・エア過負荷インジケータを無視するように設定される、発明１３に記載の無線通信装置。
［発明１８］
コンピュータ・プログラム製品であって、
ユーザ機器（ＵＥ）において、非サービス提供基地局から、オーバ・ザ・エア過負荷インジケータを受信するためのコードと、
前記オーバ・ザ・エア過負荷インジケータに基づいてレポートを生成するためのコードと、
前記ＵＥからサービス提供基地局へ前記レポートを送信するためのコードと、
を備えるコンピュータ読取可能な媒体を備える、コンピュータ・プログラム製品。
［発明１９］
前記コンピュータ読取可能な媒体はさらに、前記非サービス提供基地局から受信した前記オーバ・ザ・エア過負荷インジケータに基づいて、前記ＵＥの送信電力スペクトル密度（ＰＳＤ）を調節するためのコードを備える、発明１８に記載のコンピュータ・プログラム製品。
［発明２０］
前記コンピュータ読取可能な媒体はさらに、前記サービス提供基地局から受信した電力制御コマンドに基づいて、前記ＵＥの送信電力スペクトル密度（ＰＳＤ）を調節するためのコードを備え、
前記電力制御コマンドは、前記サービス提供基地局によって受信された、前記非サービス提供基地局からのバックホール過負荷インジケータおよび前記レポートに応じる、発明１８に記載のコンピュータ・プログラム製品。
［発明２１］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明１８に記載のコンピュータ・プログラム製品。
［発明２２］
前記ＵＥは、前記サービス提供基地局によって、前記非サービス提供基地局から送信されたオーバ・ザ・エア過負荷インジケータを無視するように設定される、発明１８に記載のコンピュータ・プログラム製品。
［発明２３］
無線通信装置であって、
ユーザ機器（ＵＥ）において、非サービス提供基地局から、オーバ・ザ・エア過負荷インジケータを受信し、
前記オーバ・ザ・エア過負荷インジケータに基づいてレポートを生成し、
前記ＵＥからサービス提供基地局へ前記レポートを送信する、
ように構成されたプロセッサを備える、無線通信装置。
［発明２４］
無線通信環境において、過負荷インジケータに応答することを容易にする方法であって、
前記ＵＥによって非サービス提供基地局から受信されたオーバ・ザ・エア過負荷インジケータに基づいて生成されたレポートを、ユーザ機器（ＵＥ）から受信することと、
前記ＵＥから受信された前記レポートに少なくとも部分的に基づいて、前記ＵＥのための電力制御コマンドを生成することと、
を備える方法。
［発明２５］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明２４に記載の方法。
［発明２６］
前記非サービス提供基地局からバックホールを介して受信されたバックホール過負荷インジケータにさらに基づいて、前記ＵＥのための電力制御コマンドを生成することをさらに備える、発明２４に記載の方法。
［発明２７］
前記電力制御コマンドを、物理ダウンリンク制御チャネル（ＰＤＣＣＨ）でダウンリンクによって前記ＵＥへ送信することをさらに備える、発明２４に記載の方法。
［発明２８］
前記ＵＥによって前記非サービス提供基地局から受信されたオーバ・ザ・エア過負荷インジケータを無視するように前記ＵＥを設定することをさらに備える、発明２４に記載の方法。
［発明２９］
前記非サービス提供基地局へ情報をシグナリングし、前記非サービス提供基地局に対して、サービス提供されているＵＥのタイプおよび状態に応じて、バックホールを介してバックホール過負荷インジケータを送信するか、送信を禁止するかの何れかを選択的に実行させることをさらに備える、発明２４に記載の方法。
［発明３０］
サービス提供基地局が、少なくとも１つのレガシーＵＥにサービス提供するかを判定することと、
前記非サービス提供基地局へ情報をシグナリングし、前記サービス提供基地局が、前記少なくとも１つのレガシーＵＥにサービス提供しないものと認識された場合、前記非サービス提供基地局に対して、前記バックホールを介してバックホール過負荷インジケータを送信することを禁止させることと、
前記サービス提供基地局が、前記少なくとも１つのレガシーＵＥにサービス提供するものと認識された場合、前記少なくとも１つのレガシーＵＥのそれぞれの状態を判定することと、
前記非サービス提供基地局へ情報をシグナリングし、前記サービス提供基地局によってサービス提供されている少なくとも１つのレガシーＵＥの何れもが、アクティブ状態にあるものと認識されなかった場合、前記非サービス提供基地局に対して、前記バックホールを介してバックホール過負荷インジケータを送信することを禁止させることと、
前記非サービス提供基地局へ情報をシグナリングし、前記サービス提供基地局によってサービス提供されている少なくとも１つのレガシーＵＥのうちの１または複数が、前記アクティブ状態にあるものと認識された場合、前記非サービス提供基地局に対して、前記バックホールを介してバックホール過負荷インジケータを送信させることと、
をさらに備える、発明２９に記載の方法。
［発明３１］
無線通信装置であって、
ＵＥによって非サービス提供基地局から受信されたオーバ・ザ・エア過負荷インジケータに基づいて生成されたレポートを、ユーザ機器（ＵＥ）から受信することと、
前記ＵＥから受信された前記レポートに少なくとも部分的に基づいて、前記ＵＥのための電力制御コマンドを生成することと、
に関連する命令群を保持するメモリと、
前記メモリに接続され、前記メモリに保持された命令群を実行するように構成されたプロセッサと、
を備える無線通信装置。
［発明３２］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明３１に記載の無線通信装置。
［発明３３］
前記メモリはさらに、前記非サービス提供基地局からバックホールを介して受信されたバックホール過負荷インジケータにさらに基づいて、前記ＵＥのための電力制御コマンドを生成することに関連する命令群を保持する、発明３１に記載の無線通信装置。
［発明３４］
前記メモリはさらに、前記電力制御コマンドを、物理ダウンリンク制御チャネル（ＰＤＣＣＨ）でダウンリンクによって前記ＵＥへ送信することに関連する命令群を保持する、発明３１に記載の無線通信装置。
［発明３５］
前記メモリはさらに、前記ＵＥによって前記非サービス提供基地局から受信されたオーバ・ザ・エア過負荷インジケータを無視するように前記ＵＥを設定することに関連する命令群を保持する、発明３１に記載の無線通信装置。
［発明３６］
前記メモリはさらに、前記非サービス提供基地局へ情報をシグナリングし、前記非サービス提供基地局に対して、サービス提供されているＵＥのタイプおよび状態に応じて、バックホールを介してバックホール過負荷インジケータを送信するか、送信を禁止するかの何れかを選択的に実行させることに関連する命令群を保持する、発明３１に記載の無線通信装置。
［発明３７］
前記メモリはさらに、
サービス提供基地局が、少なくとも１つのレガシーＵＥにサービス提供するかを判定することと、
前記非サービス提供基地局へ情報をシグナリングし、前記サービス提供基地局が、前記少なくとも１つのレガシーＵＥにサービス提供しないものと認識された場合、前記非サービス提供基地局に対して、前記バックホールを介してバックホール過負荷インジケータを送信することを禁止させることと、
前記サービス提供基地局が、前記少なくとも１つのレガシーＵＥにサービス提供するものと認識された場合、前記少なくとも１つのレガシーＵＥのそれぞれの状態を判定することと、
前記非サービス提供基地局へ情報をシグナリングし、前記サービス提供基地局によってサービス提供されている少なくとも１つのレガシーＵＥの何れもが、アクティブ状態にあるものと認識されなかった場合、前記非サービス提供基地局に対して、前記バックホールを介してバックホール過負荷インジケータを送信することを禁止させることと、
前記非サービス提供基地局へ情報をシグナリングし、前記サービス提供基地局によってサービス提供されている少なくとも１つのレガシーＵＥのうちの１または複数が、前記アクティブ状態にあるものと認識された場合、前記非サービス提供基地局に対して、前記バックホールを介してバックホール過負荷インジケータを送信させることと、
に関連する命令群を保持する、発明３６に記載の無線通信装置。
［発明３８］
無線通信環境において、過負荷インジケータを適用することをイネーブルする無線通信装置であって、
前記ＵＥによって非サービス提供基地局から受信されたオーバ・ザ・エア過負荷インジケータに基づいて生成されたレポートを、ユーザ機器（ＵＥ）から受信する手段と、
前記ＵＥから受信された前記レポートに少なくとも部分的に基づいて、前記ＵＥのための電力制御コマンドを生成する手段と、
を備える無線通信装置。
［発明３９］
前記非サービス提供基地局からバックホールを介して受信されたバックホール過負荷インジケータにさらに基づいて、前記ＵＥのための電力制御コマンドを生成する手段をさらに備える、発明３８に記載の無線通信装置。
［発明４０］
前記ＵＥによって前記非サービス提供基地局から受信されたオーバ・ザ・エア過負荷インジケータを無視するように前記ＵＥを設定する手段をさらに備える、発明３８に記載の無線通信装置。
［発明４１］
前記非サービス提供基地局へ情報をシグナリングし、前記非サービス提供基地局に対して、サービス提供されているＵＥのタイプおよび状態に応じて、バックホールを介してバックホール過負荷インジケータを送信するか、送信を禁止するかの何れかを選択的に実行させる手段をさらに備える、発明３８に記載の無線通信装置。
［発明４２］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明３８に記載の無線通信装置。
［発明４３］
コンピュータ・プログラム製品であって、
前記ＵＥによって非サービス提供基地局から受信されたオーバ・ザ・エア過負荷インジケータに基づいて生成されたレポートを、ユーザ機器（ＵＥ）から受信するためのコードと、
前記ＵＥから受信された前記レポートに少なくとも部分的に基づいて、前記ＵＥのための電力制御コマンドを生成するためのコードと、
を備えるコンピュータ読取可能な媒体を備える、コンピュータ・プログラム製品。
［発明４４］
前記コンピュータ読取可能な媒体はさらに、前記非サービス提供基地局からバックホールを介して受信されたバックホール過負荷インジケータにさらに基づいて、前記ＵＥのための電力制御コマンドを生成するためのコードを備える、発明４３に記載のコンピュータ・プログラム製品。
［発明４５］
前記コンピュータ読取可能な媒体はさらに、前記ＵＥによって前記非サービス提供基地局から受信されたオーバ・ザ・エア過負荷インジケータを無視するように前記ＵＥを設定するためのコードを備える、発明４３に記載のコンピュータ・プログラム製品。
［発明４６］
前記コンピュータ読取可能な媒体はさらに、前記非サービス提供基地局へ情報をシグナリングし、前記非サービス提供基地局に対して、サービス提供されているＵＥのタイプおよび状態に応じて、バックホールを介してバックホール過負荷インジケータを送信するか、送信を禁止するかの何れかを選択的に実行させるためのコードを備える、発明４３に記載のコンピュータ・プログラム製品。
［発明４７］
前記レポートは、前記オーバ・ザ・エア過負荷インジケータ、前記オーバ・ザ・エア過負荷インジケータに基づいて調節された後の前記ＵＥの送信電力スペクトル密度（ＰＳＤ）、または前記ＵＥの電力ヘッドルーム、のうちの少なくとも１つに関連する情報を含む、発明４３に記載のコンピュータ・プログラム製品。
［発明４８］
無線通信装置であって、
ユーザ機器（ＵＥ）によって非サービス提供基地局から受信されたオーバ・ザ・エア過負荷インジケータに基づいて生成されたレポートを、前記ＵＥから受信し、
前記ＵＥから受信された前記レポートに少なくとも部分的に基づいて、前記ＵＥのための電力制御コマンドを生成し、
ダウンリンクによって前記ＵＥへ前記電力制御コマンドを送信する、
ように構成されたプロセッサを備える、無線通信装置。
【図１】
0005567130.tif 000002
【図２】
0005567130.tif 000003
【図３】
0005567130.tif 000004
【図４】
0005567130.tif 000005
【図５】
0005567130.tif 000006
【図６】
0005567130.tif 000007
【図７】
0005567130.tif 000008
【図８】
0005567130.tif 000009
【図９】
0005567130.tif 000010
【図１０】
0005567130.tif 000011
【図１１】
0005567130.tif 000012